(57)【要約】  データ伝送効率を向上させることができる無線通信基地局装置。この装置において、ＰＤＣＣＨ割当部（１０１）は、入力される上り回線割当情報＃１〜＃ＫをＰＤＣＣＨ＃１〜＃Ｋのいずれかに割り当て、ＡＣＫ／ＮＡＣＫチャネル割当部（１０５）は、各移動局に対する応答信号を、各移動局の上り回線割当情報が割り当てられたＰＤＣＣＨを構成する複数のＣＣＥのうちＣＣＥ番号が最も大きいＣＣＥに関連付けられたＡＣＫ／ＮＡＣＫチャネルに割り当て、配置部（１０６）は、応答信号が割り当てられたＡＣＫ／ＮＡＣＫチャネルを、そのＡＣＫ／ＮＡＣＫチャネルに確保された下り回線リソースに配置する。
2009022465.tif 000002
【特許請求の範囲】
【請求項１】
上り回線データのリソース割当情報を１つまたは複数のＣＣＥで構成される第１制御チャネルに割り当てる第１割当手段と、
前記上り回線データに対する応答信号を、前記上り回線データの初回送信時または２回目送信時において、前記複数のＣＣＥのうちＣＣＥ番号が最も小さいＣＣＥ以外のＣＣＥに関連付けられた第２制御チャネルに割り当てる第２割当手段と、
を具備する無線通信基地局装置。
【請求項２】
前記第２割当手段は、前記第１制御チャネルが複数のＣＣＥで構成される場合、前記応答信号を、前記複数のＣＣＥのうちＣＣＥ番号が最も大きいＣＣＥに関連付けられた第２制御チャネルに割り当てる、
請求項１記載の無線通信基地局装置。
【請求項３】
前記第２割当手段は、前記第１制御チャネルが複数のＣＣＥで構成される場合、前記応答信号を、前記複数のＣＣＥのうち前記ＣＣＥ番号が最も小さいＣＣＥおよび前記ＣＣＥ番号が最も大きいＣＣＥ以外のいずれかのＣＣＥに関連付けられた第２制御チャネルに割り当てる、
請求項１記載の無線通信基地局装置。
【請求項４】
前記第２割当手段は、前記応答信号を、初回送信時に使用した第２制御チャネルから送信回数の昇順にシフトした第２制御チャネルに割り当てる、
請求項１記載の無線通信基地局装置。
【請求項５】
第１制御チャネルに割り当てられたリソース割当情報に従って割り当てられた上り回線データに対する応答信号を、前記上り回線データの初回送信時または２回目送信時において、前記複数のＣＣＥのうちＣＣＥ番号が最も小さいＣＣＥ以外のＣＣＥに関連付けられた第２制御チャネルに割り当てる、
チャネル割当方法。
【発明の詳細な説明】
【技術分野】
【０００１】
本発明は、無線通信基地局装置およびチャネル割当方法に関する。
【背景技術】
【０００２】
移動体通信では、上り回線で無線通信移動局装置（以下、単に移動局という）から無線通信基地局装置（以下、単に基地局という）へ伝送される上り回線データに対してＡＲＱ（Automatic Repeat Request）が適用され、上り回線データの誤り検出結果を示す応答信号が下り回線で移動局へフィードバックされる。基地局は上り回線データに対しＣＲＣ（Cyclic Redundancy Check）判定を行って、ＣＲＣ＝ＯＫ（誤り無し）であればＡＣＫ（Acknowledgment）信号を、ＣＲＣ＝ＮＧ（誤り有り）であればＮＡＣＫ（Negative Acknowledgment）信号を応答信号として移動局へフィードバックする。【０００３】
ここで、上り回線データに同期ＨＡＲＱ（Hybrid ARQ）を適用することが検討されている。同期ＨＡＲＱでは、基地局は上り回線データの受信後、所定時間経過後に応答信号を移動局へフィードバックし、移動局は、基地局からＮＡＣＫ信号がフィードバックされた場合には、ＮＡＣＫ信号の受信後、所定時間経過後に上り回線データを基地局へ再送する。【０００４】
また、基地局は上り回線データのリソース割当結果を通知するための制御情報を移動局へ送信する。この制御情報は、例えばＰＤＣＣＨ（Physical Downlink Control Channel）等の下り回線制御チャネルを用いて移動局へ送信される。ＰＤＣＣＨは、ＣＣＥ（Control Channel Element）と呼ばれる物理リソース単位で構成され、各ＰＤＣＣＨは１つまたは複数のＣＣＥを占有する。基地局は、制御情報を通知するために必要なＣＣＥ数に従って、ＰＤＣＣＨを構成し、各ＰＤＣＣＨが占有するＣＣＥに対応する物理リソースに制御情報を割り当てて送信する。【０００５】
一方、同期ＨＡＲＱにおいて、下り回線の通信リソースを効率良く使用するために、上り回線リソースを各移動局に割り当てるためのＰＤＣＣＨを構成する各ＣＣＥに、下り回線で応答信号を伝送するためのＡＣＫ／ＮＡＣＫチャネルを関連付けることが検討されている（例えば、非特許文献１参照）。これにより、移動局は、ＡＣＫ／ＮＡＣＫチャネルの割当情報を別途通知されなくても、基地局からのＰＤＣＣＨに従って自局宛てのＡＣＫ／ＮＡＣＫチャネルを判断することができる。なお、従来技術では、ＰＤＣＣＨが複数のＣＣＥで構成される場合、ＣＣＥ番号が最も小さいＣＣＥに関連付けられたＡＣＫ／ＮＡＣＫチャネルを使用する。【０００６】
また、上り回線データに同期ＨＡＲＱを適用する場合、データの送信タイミングが予め設定されているため、２回目送信以降（再送）の上り回線データを基地局へ送信する移動局に対しては、２回目送信以降（再送）の上り回線データのリソース割当のためのＰＤＣＣＨが送信されない。また、２回目送信以降（再送）の上り回線データに対する応答信号は、１回目送信（初回送信）時に使用したＡＣＫ／ＮＡＣＫチャネルと同一のＡＣＫ／ＮＡＣＫチャネルを用いて送信される。
【非特許文献１】3GPP RAN WG1 Meeting document, R1-073106, “LTE downlink ACK Channel mapping linked to CCE”, Samsung, June 2007
【発明の開示】
【発明が解決しようとする課題】
【０００７】
上記従来技術では、基地局は、新たな移動局に対する制御情報を割り当てたＰＤＣＣＨを送信する際、そのＰＤＣＣＨで割り当てられた上り回線データに対する応答信号と、２回目送信以降（再送）の上り回線データに対する応答信号とが衝突しないようにＰＤＣＣＨを構成する。また、基地局では、２回目送信以降（再送）の上り回線データに対する応答信号が割り当てられるＡＣＫ／ＮＡＣＫチャネルに対応するＣＣＥと、そのＣＣＥよりＣＣＥ番号が小さいＣＣＥを含む複数のＣＣＥとでＰＤＣＣＨを構成することにより、２回目送信以降（再送）の上り回線データに対する応答信号が割り当てられるＡＣＫ／ＮＡＣＫチャネルに対応するＣＣＥを使用することができる。【０００８】
例えば、１２個のＣＣＥ＃１〜＃１２を用いる場合、ＣＣＥ＃５で構成されるＰＤＣＣＨ＃５で割り当てられた上り回線データに対する応答信号は、ＣＣＥ＃５に関連付けられたＡＣＫ／ＮＡＣＫチャネルＣＨ＃５に割り当てられる。ここで、ＰＤＣＣＨ＃５で割り当てられた上り回線データの２回目送信（１回目再送）が必要である場合、基地局では、新たな移動局に対する制御情報を割り当てるＰＤＣＣＨとして、ＣＣＥ＃４およびＣＣＥ＃５で構成されるＰＤＣＣＨ＃４を使用する。これにより、ＰＤＣＣＨ＃４で割り当てられた上り回線データに対する応答信号は、ＣＣＥ＃４に関連付けられたＡＣＫ／ＮＡＣＫチャネルＣＨ＃４に割り当てられる。このため、ＰＤＣＣＨ＃４でＣＣＥ＃５を使用してもＰＤＣＣＨ＃５で割り当てられた上り回線データに対する応答信号が割り当てられたＡＣＫ／ＮＡＣＫチャネルＣＨ＃５での衝突は発生しない。【０００９】
ここで、ＣＣＥ番号が最も小さいＣＣＥ＃１でＰＤＣＣＨ＃１を構成する場合、そのＰＤＣＣＨで割り当てられた上り回線データに対する応答信号は、ＣＣＥ＃１に関連付けられたＡＣＫ／ＮＡＣＫチャネルＣＨ＃１に割り当てられる。また、ＰＤＣＣＨで割り当てられた上り回線データの２回目送信（１回目再送）が必要である場合、その上り回線データに対する応答信号も、ＡＣＫ／ＮＡＣＫチャネルＣＨ＃１に割り当てられる。このとき、基地局では、新たな移動局に対する制御情報を割り当てるＰＤＣＣＨにＣＣＥ＃１が含まれる場合、ＡＣＫ／ＮＡＣＫチャネルＣＨ＃１で衝突が生じてしまうため、ＣＣＥ＃１を使用することができない。つまり、ＡＣＫ／ＮＡＣＫチャネルＣＨ＃１が２回目送信以降（再送）の上り回線データを送信する移動局に割り当てられている間は、ＣＣＥ＃１を新たに使用できない状態が発生してしまい通信リソースが無駄になる。これにより、データ伝送効率が低減してしまう。【００１０】
本発明の目的は、データ伝送効率を向上させることができる基地局およびチャネル割当方法を提供することである。
【課題を解決するための手段】
【００１１】
本発明の基地局は、上り回線データのリソース割当情報を１つまたは複数のＣＣＥで構成される第１制御チャネルに割り当てる第１割当手段と、前記上り回線データに対する応答信号を、前記上り回線データの初回送信時または２回目送信時において、前記複数のＣＣＥのうちＣＣＥ番号が最も小さいＣＣＥ以外のＣＣＥに関連付けられた第２制御チャネルに割り当てる第２割当手段と、を具備する構成を採る。
【発明の効果】
【００１２】
本発明によれば、データ伝送効率を向上させることができる。
【図面の簡単な説明】
【００１３】
【図１】本発明の実施の形態１に係る基地局の構成を示すブロック図
【図２】本発明の実施の形態１に係るＣＣＥとＡＣＫ／ＮＡＣＫチャネルとの関連付けを示す図
【図３】本発明の実施の形態２に係るＣＣＥとＡＣＫ／ＮＡＣＫチャネルとの関連付けを示す図
【図４】本発明の実施の形態３に係るＣＣＥのＣＣＥ番号とＡＣＫ／ＮＡＣＫチャネルのチャネル番号との鏡像関係を示す図
【図５】本発明の実施の形態３に係るＣＣＥとＡＣＫ／ＮＡＣＫチャネルとの関連付けを示す図（鏡像関係の場合）
【図６】本発明の実施の形態３に係るＣＣＥとＡＣＫ／ＮＡＣＫチャネルとの関連付けを示す図（巡回シフトの場合）
【図７】本発明の本実施の形態４に係るＨＡＲＱフレームを示す図
【図８】本発明の実施の形態４に係るＣＣＥとＡＣＫ／ＮＡＣＫチャネルとの関連付けを示す図
【図９】本発明の実施の形態５に係るＣＣＥとＡＣＫ／ＮＡＣＫチャネルとの関連付けを示す図（ＨＡＲＱフレーム番号が奇数の場合）
【図１０】本発明の実施の形態５に係るＣＣＥとＡＣＫ／ＮＡＣＫチャネルとの関連付けを示す図（ＨＡＲＱフレーム番号が偶数の場合）
【発明を実施するための最良の形態】
【００１４】
以下、本発明の実施の形態について、添付図面を参照して詳細に説明する。【００１５】
（実施の形態１）
本実施の形態に係る基地局１００の構成を図１に示す。【００１６】
なお、説明が煩雑になることを避けるために、図１では、本発明と密接に関連する上り回線割当情報の下り回線での送信、上り回線データに対する応答信号の下り回線での送信および、上り回線データの受信に係わる構成部を示し、下り回線データの送信に係わる構成部の図示および説明を省略する。【００１７】
図１に示す基地局１００において、ＰＤＣＣＨ割当部１０１には、最大Ｋ個の移動局＃１〜＃Ｋに対して、どの上り回線リソースをどの移動局に割り当てたかを示す上り回線割当情報＃１〜＃Ｋが入力される。ＰＤＣＣＨ割当部１０１は、入力される上り回線割当情報＃１〜＃ＫをＰＤＣＣＨ＃１〜＃Ｋのいずれかに割り当てる。なお、各ＰＤＣＣＨは、ＣＣＥ＃１〜＃Ｍのうち１つまたは複数のＣＣＥで構成される。そして、ＰＤＣＣＨ割当部１０１は、上り回線割当情報＃１〜＃Ｋを割り当てたＰＤＣＣＨそれぞれに対応する符号化・変調部１０２−１〜１０２−Ｋにそれぞれ出力する。また、ＰＤＣＣＨ割当部１０１は、どの移動局の上り回線割当情報をどのＣＣＥに割り当てたかを示すＣＣＥ割当情報をＡＣＫ／ＮＡＣＫチャネル割当部１０５に出力する。【００１８】
符号化・変調部１０２−１〜１０２−Ｋは、ＰＤＣＣＨ＃１〜＃Ｋに対応して備えられる。符号化・変調部１０２−１〜１０２−Ｋにおいて、各符号化部１１は、入力される各上り回線割当情報を符号化して各変調部１２に出力する。そして、各変調部１２は、各符号化部１１から入力される符号化後の各上り回線割当情報を変調して上り回線割当情報シンボルを生成し、配置部１０６に出力する。【００１９】
変調部１０３は、誤り検出部１１２から入力される各移動局の応答信号を変調する。そして、変調部１０３は、変調後の応答信号をＡＣＫ／ＮＡＣＫチャネル割当部１０５に出力する。【００２０】
送信判別部１０４は、誤り検出部１１２から入力される各移動局の応答信号に基づいて各移動局の上り回線データの送信回数をカウントし、各移動局の上り回線データが１回目送信（初回送信）であるか２回目送信以降（再送）であるかを判別する。そして、送信判別部１０４は、初回送信または再送を示す判別結果をＡＣＫ／ＮＡＣＫチャネル割当部１０５に出力する。【００２１】
ＡＣＫ／ＮＡＣＫチャネル割当部１０５は、変調部１０３から入力される応答信号を、ＰＤＣＣＨ割当部１０１から入力されるＣＣＥ割当情報と送信判別部１０４から入力される判別結果とに基づくＡＣＫ／ＮＡＣＫチャネルに割り当てる。具体的には、ＡＣＫ／ＮＡＣＫチャネル割当部１０５は、送信判別部１０４からの判別結果が初回送信である場合には、各移動局に対する応答信号を、各移動局の上り回線割当情報が割り当てられたＰＤＣＣＨを構成するＣＣＥに関連付けられたＡＣＫ／ＮＡＣＫチャネルに割り当てる。ここで、ＡＣＫ／ＮＡＣＫチャネル割当部１０５は、ＰＤＣＣＨを構成するＣＣＥが複数の場合、ＰＤＣＣＨを構成する複数のＣＣＥのうちＣＣＥ番号が最も大きいＣＣＥに関連付けられたＡＣＫ／ＮＡＣＫチャネルに応答信号を割り当てる。一方、ＡＣＫ／ＮＡＣＫチャネル割当部１０５は、送信判別部１０４からの判別結果が再送である場合には、各移動局に対する応答信号を、１回目送信（初回送信）時に使用したＡＣＫ／ＮＡＣＫチャネルと同一のＡＣＫ／ＮＡＣＫチャネルに割り当てる。そして、ＡＣＫ／ＮＡＣＫチャネル割当部１０５は、ＡＣＫ／ＮＡＣＫチャネルに割り当てられた応答信号を配置部１０６に出力する。ＡＣＫ／ＮＡＣＫチャネル割当部１０５におけるＡＣＫ／ＮＡＣＫチャネル割り当て処理の詳細については後述する。【００２２】
配置部１０６は、上り回線割当情報シンボルが割り当てられたＰＤＣＣＨをＰＤＣＣＨに確保された下り回線リソースに配置し、応答信号が割り当てられたＡＣＫ／ＮＡＣＫチャネルをＡＣＫ／ＮＡＣＫチャネルに確保された下り回線リソースに配置する。そして、配置部１０６は、各チャネルを配置した後の信号を無線送信部１０７に出力する。【００２３】
無線送信部１０７は、配置部１０６から入力される信号に対しＤ／Ａ変換、増幅およびアップコンバート等の送信処理を行ってアンテナ１０８から各移動局へ送信する。【００２４】
一方、無線受信部１０９は、各移動局から送信された上り回線データをアンテナ１０８を介して受信し、この上り回線データに対しダウンコンバート、Ａ／Ｄ変換等の受信処理を行う。【００２５】
復調部１１０は、上り回線データを復調し、復調後の上り回線データを復号部１１１に出力する。【００２６】
復号部１１１は、復調後の上り回線データを復号し、復号後の上り回線データを誤り検出部１１２に出力する。【００２７】
誤り検出部１１２は、復号後の上り回線データに対してＣＲＣ判定を用いた誤り検出を行って、ＣＲＣ＝ＯＫ（誤り無し）の場合はＡＣＫ信号を、ＣＲＣ＝ＮＧ（誤り有り）の場合はＮＡＣＫ信号を応答信号として生成し、生成した応答信号を変調部１０３および送信判別部１０４に出力する。また、誤り検出部１１２は、ＣＲＣ＝ＯＫ（誤り無し）の場合、復号後の上り回線データを受信データとして出力する。【００２８】
一方、各移動局では、基地局から自局宛てのＰＤＣＣＨを受信した場合、上り回線割当情報およびＭＣＳ（Modulation and Coding Scheme）に従って送信データを基地局に送信する。また、各移動局は、自局宛てに割り当てられたＰＤＣＣＨを構成するＣＣＥに関連付けられたＡＣＫ／ＮＡＣＫチャネルに割り当てられた応答信号を受信する。ここで、各移動局では、どのＡＣＫ／ＮＡＣＫチャネルがどの下り回線リソースに対応しているかを上位レイヤで指示されるか、予め規定される。そして、各移動局は、応答信号がＡＣＫ信号である場合、次の送信データを送信するために、基地局から自局宛てのＰＤＣＣＨが送信されるまで待機する。一方、各移動局は、応答信号がＮＡＣＫ信号である場合、送信データを再送する。【００２９】
次に、ＡＣＫ／ＮＡＣＫチャネル割当部１０５におけるＡＣＫ／ＮＡＣＫチャネル割り当て処理の詳細について説明する。【００３０】
以下の説明では、図２上段に示すように、１２個のＣＣＥ＃１〜＃１２を用いる。また、上り回線割当用のＰＤＣＣＨはＣＣＥ＃１からＣＣＥ＃８に昇順で使用され、下り回線割当用のＰＤＣＣＨはＣＣＥ＃１２からＣＣＥ＃９に降順で使用される。また、上り回線割当用のＰＤＣＣＨおよび下り回線割当用のＰＤＣＣＨは、１２個のＣＣＥのうち、１個のＣＣＥまたはＣＣＥ番号が隣接する複数のＣＣＥで構成される。例えば、図２上段に示すように、ＰＤＣＣＨ＃１はＣＣＥ＃１の１つのＣＣＥで構成され、ＰＤＣＣＨ＃２はＣＣＥ＃２およびＣＣＥ＃３の２つのＣＣＥで構成され、ＰＤＣＣＨ＃４はＣＣＥ＃４およびＣＣＥ＃５の２つのＣＣＥで構成され、ＰＤＣＣＨ＃６はＣＣＥ＃６の１つのＣＣＥで構成され、ＰＤＣＣＨ＃７はＣＣＥ＃７およびＣＣＥ＃８の２つのＣＣＥで構成される。なお、より低いＭＣＳレベルに対応するＰＤＣＣＨほど、より多くのＣＣＥで構成される。【００３１】
また、基地局では、図２下段に示すように、１２個のＣＣＥ＃１〜＃１２にそれぞれ対応する最大１２個のＡＣＫ／ＮＡＣＫチャネルＣＨ＃１〜＃１２を配置する下り回線リソースを予め確保する。例えば、図２下段に示すように、下り回線リソース１〜１２には、ＣＣＥ＃１〜＃１２にそれぞれ関連付けられたＡＣＫ／ＮＡＣＫチャネルＣＨ＃１〜＃１２が配置される。【００３２】
図２に示すように、ＰＤＣＣＨ＃１を構成するＣＣＥはＣＣＥ＃１であるので、ＡＣＫ／ＮＡＣＫチャネル割当部１０５は、１回目送信（初回送信）時には、ＰＤＣＣＨ＃１で割り当てられた上り回線データに対する応答信号を、ＣＣＥ＃１に関連付けられたＡＣＫ／ＮＡＣＫチャネルＣＨ＃１に割り当てる。また、図２に示すように、ＰＤＣＣＨ＃２を構成するＣＣＥはＣＣＥ＃２およびＣＣＥ＃３であり、２つのＣＣＥのうち、ＣＣＥ番号が最も大きいＣＣＥはＣＣＥ＃３である。そこで、ＡＣＫ／ＮＡＣＫチャネル割当部１０５は、１回目送信（初回送信）時には、ＰＤＣＣＨ＃２で割り当てられた上り回線データに対する応答信号を、ＣＣＥ＃３に関連付けられたＡＣＫ／ＮＡＣＫチャネルＣＨ＃３に割り当てる。ＰＤＣＣＨ＃４，＃６，＃７についても同様である。【００３３】
ここで、上り回線データに誤りが有り、上り回線データの２回目送信（１回目再送）が必要である場合、基地局では、２回目送信（１回目再送）時の上り回線データに対する応答信号を、１回目送信（初回送信）時に割り当てたＡＣＫ／ＮＡＣＫチャネルと同一のＡＣＫ／ＮＡＣＫチャネルに割り当てる。例えば、１回目送信（初回送信）時の上り回線データに対する応答信号が、図２に示すＡＣＫ／ＮＡＣＫチャネルＣＨ＃１に割り当てられた移動局に対しては、２回目送信（１回目再送）時の上り回線データに対する応答信号もＡＣＫ／ＮＡＣＫチャネルＣＨ＃１に割り当てる。【００３４】
また、基地局は、２回目送信（１回目再送）の上り回線データに対する応答信号が割り当てられるＡＣＫ／ＮＡＣＫチャネルとの衝突回避を考慮して、新たな移動局に対するＰＤＣＣＨを割り当てる。【００３５】
例えば、図２に示すように、１回目送信（初回送信）時にＡＣＫ／ＮＡＣＫチャネルＣＨ＃１に応答信号が割り当てられた移動局で２回目送信（１回目再送）が必要である場合には、基地局は、２回目送信（１回目再送）時にも使用されるＡＣＫ／ＮＡＣＫチャネルＣＨ＃１以外のＡＣＫ／ＮＡＣＫチャネルに、新たな上り回線データに対する応答信号が割り当てられるようにＰＤＣＣＨを構成する。ここで、ＰＤＣＣＨを構成するＣＣＥのうちのＣＣＥ番号が最大であるＣＣＥに関連付けられたＡＣＫ／ＮＡＣＫチャネルに応答信号が割り当てられるため、ＣＣＥ＃１が単独で構成されるＰＤＣＣＨ＃１以外を使用することができる。つまり、ＣＣＥ＃１を含む複数のＣＣＥでＰＤＣＣＨを構成すればよい。これにより、そのＰＤＣＣＨで新たに割り当てられた上り回線データに対する応答信号は、ＣＣＥ＃１以外のＣＣＥに関連付けられたＡＣＫ／ＮＡＣＫチャネルに割り当てられる。すなわち、新たな上り回線データに対する応答信号がＣＣＥ＃１に関連付けられたＡＣＫ／ＮＡＣＫチャネルＣＨ＃１に割り当てられることは無い。よって、新たな移動局に対して、ＣＣＥ＃１を含む複数のＣＣＥでＰＤＣＣＨを構成する場合でも、２回目送信（１回目再送）時にも使用されるＡＣＫ／ＮＡＣＫチャネルＣＨ＃１での衝突を回避できる。【００３６】
また、図２に示すＣＣＥ＃８は上り回線割当用のＰＤＣＣＨに使用されるＣＣＥのうちＣＣＥ番号が最も大きい。よって、ＣＣＥ＃８単独で構成されるＰＤＣＣＨ＃８のみでなく、ＣＣＥ＃８を含む複数のＣＣＥで構成されるＰＤＣＣＨで割り当てられた上り回線データに対する応答信号は、いずれもＡＣＫ／ＮＡＣＫチャネルＣＨ＃８に割り当てられる。よって、ＡＣＫ／ＮＡＣＫチャネルＣＨ＃８が２回目送信（１回目再送）時に使用される場合、ＡＣＫ／ＮＡＣＫチャネルＣＨ＃８に対応するＣＣＥ＃８を含むいずれのＰＤＣＣＨも構成することができない。しかし、図２に示すように、ＣＣＥ＃８は、下り回線割当用のＰＤＣＣＨとして使用することもできるため、ＣＣＥ＃８と隣接するＣＣＥ＃９とで構成される下り回線割当用のＰＤＣＣＨとして使用することで、通信リソースが無駄になることを防ぐことができる。【００３７】
また、サブフレーム毎にＰＤＣＣＨが送信される移動局数が異なる場合、ＰＤＣＣＨを構成するＣＣＥ数を可変にすることが考えられる。この場合、ＰＤＣＣＨが割り当てられる移動局数が最大であるときしかＣＣＥ番号の最も大きいＣＣＥは使用されない。よって、図２に示すように、上り回線割当用のＰＤＣＣＨに使用されるＣＣＥ＃１〜＃８のうち、ＣＣＥ番号が最も大きいＣＣＥ＃８に関連付けられたＡＣＫ／ＮＡＣＫチャネルＣＨ＃８に応答信号が割り当てられる確率は小さい。よって、ＡＣＫ／ＮＡＣＫチャネルＣＨ＃８が２回目送信（１回目再送）時に使用される確率も小さくなるため、ＣＣＥ＃８を上り回線割当用ＰＤＣＣＨに使用できなくなる確率も小さく、システム全体に及ぼす影響は少ない。【００３８】
このように、本実施の形態によれば、ＰＤＣＣＨが複数のＣＣＥで構成される場合、複数のＣＣＥのうちＣＣＥ番号が最も大きいＣＣＥに関連付けられたＡＣＫ／ＮＡＣＫチャネルに応答信号を割り当てる。これにより、チャネル番号が最も小さいＡＣＫ／ＮＡＣＫチャネル（図２に示すＡＣＫ／ＮＡＣＫチャネルＣＨ＃１）を再送のために使用し続ける場合でも、そのＡＣＫ／ＮＡＣＫチャネルに対応するＣＣＥと隣接する他のＣＣＥとでＰＤＣＣＨを構成することで、ＣＣＥ番号が最も小さいＣＣＥが使用できなくなる状態を低減することができ、通信リソースの無駄を防ぐことができる。よって、本実施の形態によれば、データ伝送効率を向上することができる。【００３９】
また、本実施の形態によれば、ＣＣＥ番号が最も小さいＣＣＥをすべてのサブフレームで使用することができるため、サブフレーム毎にＣＣＥの送信をＯＮ／ＯＦＦすることで生じる他セルに与える干渉電力の増減を抑えることができる。これにより、例えば、他セルにおける送信電力制御および適応ＭＣＳ制御の精度を向上することができ、システムスループットを向上することができる。【００４０】
なお、本実施の形態では、上り回線割当用のＰＤＣＣＨがＣＣＥ番号の最も小さいＣＣＥから昇順で使用され、下り回線割当用のＰＤＣＣＨがＣＣＥ番号の最も大きいＣＣＥから降順で使用される場合について説明した。しかし、本発明は、上り回線割当用のＰＤＣＣＨがＣＣＥ番号の最も大きいＣＣＥから降順で使用され、下り回線割当用のＰＤＣＣＨがＣＣＥ番号の最も小さいＣＣＥから昇順で使用される場合についても適用することができる。このとき、ＰＤＣＣＨを構成するＣＣＥが複数の場合、ＰＤＣＣＨを構成する複数のＣＣＥのうちＣＣＥ番号が最も小さいＣＣＥに関連付けられたＡＣＫ／ＮＡＣＫチャネルに応答信号を割り当てる。【００４１】
また、本実施の形態では、２回目送信以降（再送）の上り回線データに対する応答信号を、１回目送信（初回送信）時に割り当てたＡＣＫ／ＮＡＣＫチャネルと同一のＡＣＫ／ＮＡＣＫチャネルに割り当てる場合について説明した。しかし、本発明は、２回目送信以降（再送）の上り回線データに対する応答信号を、１回目送信（初回送信）時に使用されたＰＤＣＣＨを構成するＣＣＥに関連付けられたＡＣＫ／ＮＡＣＫチャネルに割り当ててもよい。これにより、例えば、ＣＣＥとＡＣＫ／ＮＡＣＫチャネルとの関連付けが時間の経過と伴に変化する場合でも、基地局では、２回目送信以降（再送）の上り回線データに対する応答信号が割り当てられるＡＣＫ／ＮＡＣＫチャネルとそのＡＣＫ／ＮＡＣＫチャネルに関連付けられたＣＣＥとを把握することができる。このため、基地局は、２回目送信以降（再送）の上り回線データに対する応答信号が割り当てられるＡＣＫ／ＮＡＣＫチャネルと衝突しないＣＣＥを使用して、新たな移動局に対するＰＤＣＣＨを割り当てることができる。【００４２】
また、本実施の形態では、１回目送信（初回送信）時の上り回線データに対してのみに、上り回線割当情報をＰＤＣＣＨに割り当てて移動局に送信したが、２回目送信以降（再送）の上り回線データに対しても上り回線割当情報をＰＤＣＣＨに割り当てて移動局に送信することが考えられる。この場合、本実施の形態で説明した１回目送信（初回送信）時の上り回線データを、ＰＤＣＣＨで割り当てられた上り回線データとして置き換えて適用し、本実施の形態で説明した２回目以降（再送）の上り回線データを、ＰＤＣＣＨで割り当てられなかった上り回線データとして置き換えて適用すればよい。【００４３】
また、本実施の形態では、１個のＣＣＥまたは２個のＣＣＥで構成されるＰＤＣＣＨの場合について説明したが、ＰＤＣＣＨを３個以上のＣＣＥで構成してもよい。この場合、ＰＤＣＣＨで割り当てられた上り回線データに対する応答信号を、ＰＤＣＣＨを構成するＣＣＥのうち、ＣＣＥ番号が最も小さいＣＣＥおよび最も大きいＣＣＥ以外のＣＣＥに関連付けられたＡＣＫ／ＮＡＣＫチャネルに割り当ててもよい。これにより、ＣＣＥ番号が最も小さいＣＣＥおよび最も大きいＣＣＥに関連付けられたＡＣＫ／ＮＡＣＫチャネルが使用されている間、ＣＣＥ番号が最も小さいＣＣＥおよび最も大きいＣＣＥが使用できなくなることを防ぐことができる。【００４４】
（実施の形態２）
本実施の形態では、２回目送信以降（再送）の上り回線データに対する応答信号を、１回目送信（初回送信）時に割り当てたＡＣＫ／ＮＡＣＫチャネルから再送回数だけ昇順にシフトしたＡＣＫ／ＮＡＣＫチャネルを使用する。【００４５】
本実施の形態に係るＡＣＫ／ＮＡＣＫチャネル割当部１０５（図１）は、送信判別部１０４からの判別結果が初回送信である場合には、変調部１０３から入力される応答信号を、ＰＤＣＣＨ割当部１０１から入力されるＣＣＥ割当情報に基づくＡＣＫ／ＮＡＣＫチャネルに割り当てる。また、ＡＣＫ／ＮＡＣＫチャネル割当部１０５は、ＰＤＣＣＨを構成するＣＣＥが複数の場合、ＰＤＣＣＨを構成する複数のＣＣＥのうちＣＣＥ番号が最も小さいＣＣＥに関連付けられたＡＣＫ／ＮＡＣＫチャネルに応答信号を割り当てる。一方、ＡＣＫ／ＮＡＣＫチャネル割当部１０５は、送信判別部１０４からの判別結果が再送である場合には、応答信号を、１回目送信（初回送信）時に割り当てたＡＣＫ／ＮＡＣＫチャネルから再送回数だけ昇順にシフトさせたＡＣＫ／ＮＡＣＫチャネルに割り当てる。【００４６】
以下の説明では、図３上段に示すように、実施の形態１と同様、１２個のＣＣＥ＃１〜＃１２を用いる。また、実施の形態１と同様、上り回線割当用のＰＤＣＣＨはＣＣＥ＃１からＣＣＥ＃８に昇順で使用され、下り回線割当用のＰＤＣＣＨはＣＣＥ＃１２からＣＣＥ＃９に降順で使用される。ここでは、図３上段に示すように、ＣＣＥ＃１〜＃８により上り回線割当用ＰＤＣＣＨ＃１、＃３、＃４、＃６および＃７が構成される。【００４７】
また、基地局では、図３下段に示すように、実施の形態１と同様、１２個のＣＣＥ＃１〜＃１２にそれぞれ対応する最大１２個のＡＣＫ／ＮＡＣＫチャネルＣＨ＃１〜＃１２を配置する下り回線リソース１〜１２を予め確保する。【００４８】
図３に示すように、ＰＤＣＣＨ＃１を構成するＣＣＥはＣＣＥ＃１およびＣＣＥ＃２であり、２つのＣＣＥのうち、ＣＣＥ番号が最も小さいＣＣＥはＣＣＥ＃１である。そこで、ＡＣＫ／ＮＡＣＫチャネル割当部１０５は、１回目送信（初回送信）時には、ＰＤＣＣＨ＃１で割り当てられた上り回線データに対する応答信号を、ＣＣＥ＃１に関連付けられたＡＣＫ／ＮＡＣＫチャネルＣＨ＃１に割り当てる。また、図３に示すように、ＰＤＣＣＨ＃３を構成するＣＣＥはＣＣＥ＃３であるので、ＡＣＫ／ＮＡＣＫチャネル割当部１０５は、１回目送信（初回送信）時には、ＰＤＣＣＨ＃３で割り当てられた上り回線データに対する応答信号を、ＣＣＥ＃３に関連付けられたＡＣＫ／ＮＡＣＫチャネルＣＨ＃３に割り当てる。ＰＤＣＣＨ＃４，＃６，＃７についても同様である。【００４９】
次いで、上り回線データに誤りが有り、上り回線データの２回目送信（１回目再送）が必要である場合、基地局では、２回目送信（１回目再送）時の上り回線データに対する応答信号を、１回目送信（初回送信）時に割り当てたＡＣＫ／ＮＡＣＫチャネルから１つ昇順にシフトしたＡＣＫ／ＮＡＣＫチャネルに割り当てる。例えば、１回目送信（初回送信）時の上り回線データに対する応答信号が、ＡＣＫ／ＮＡＣＫチャネルＣＨ＃１に割り当てられた移動局に対しては、２回目送信（１回目再送）時の上り回線データに対する応答信号を、図３に示すように、ＡＣＫ／ＮＡＣＫチャネルＣＨ＃１から１つ昇順にシフトしたＡＣＫ／ＮＡＣＫチャネルＣＨ＃２に割り当てる。【００５０】
また、基地局では、実施の形態１と同様、２回目送信（１回目再送）の上り回線データに対する応答信号が割り当てられるＡＣＫ／ＮＡＣＫチャネルとの衝突回避を考慮して、新たな移動局に対するＰＤＣＣＨを割り当てる。【００５１】
例えば、図３に示すように、１回目送信（初回送信）時にＡＣＫ／ＮＡＣＫチャネルＣＨ＃１に応答信号が割り当てられた移動局で２回目送信（１回目再送）が必要である場合には、基地局は、２回目送信（１回目再送）時に使用されるＡＣＫ／ＮＡＣＫチャネルＣＨ＃２以外のＡＣＫ／ＮＡＣＫチャネルに、新たな上り回線データに対する応答信号が割り当てられるようにＰＤＣＣＨを構成する。ここで、ＰＤＣＣＨを構成するＣＣＥのうちのＣＣＥ番号が最小であるＣＣＥに関連付けられたＡＣＫ／ＮＡＣＫチャネルに応答信号が割り当てられるため、ＣＣＥ番号が最小であるＣＣＥがＣＣＥ＃２でなければ、ＣＣＥ＃２を含む複数のＰＤＣＣＨを構成してもよい。これにより、そのＰＤＣＣＨで新たに割り当てられた上り回線データに対する応答信号は、ＣＣＥ＃２以外のＣＣＥに関連付けられたＡＣＫ／ＮＡＣＫチャネルに割り当てられる。すなわち、新たな上り回線データに対する応答信号がＣＣＥ＃２に関連付けられたＡＣＫ／ＮＡＣＫチャネルＣＨ＃２に割り当てられることはない。よって、新たな移動局に対して、ＣＣＥ＃２よりもＣＣＥ番号が小さいＣＣＥ＃１を含むＰＤＣＣＨ＃１を構成する場合でも、２回目送信（１回目再送）時にも使用されるＡＣＫ／ＮＡＣＫチャネルＣＨ＃２での衝突を回避できる。【００５２】
また、図３に示すＡＣＫ／ＮＡＣＫチャネルＣＨ＃１〜＃１２のうち、チャネル番号が最小であるＡＣＫ／ＮＡＣＫチャネルＣＨ＃１に２回目送信（再送）の上り回線データに対する応答信号が割り当てられることは無い。よって、ＡＣＫ／ＮＡＣＫチャネルＣＨ＃１には、常に１回目送信（初回送信）の上り回線データに対する応答信号を割り当てることができる。すなわち、基地局では、新たに制御情報を割り当てる移動局の上り回線割当用のＰＤＣＣＨとして、ＡＣＫ／ＮＡＣＫチャネルＣＨ＃１に対応するＣＣＥ＃１を常に使用することができる。【００５３】
このように、本実施の形態によれば、上り回線データの２回目以降の送信（再送）が必要である場合、その上り回線データに対する応答信号を、１回目送信（初回送信）時に割り当てたＡＣＫ／ＮＡＣＫチャネルから再送回数だけ昇順にシフトしたＡＣＫ／ＮＡＣＫチャネルに割り当てる。これにより、チャネル番号が最も小さいＡＣＫ／ＮＡＣＫチャネル（図３に示すＡＣＫ／ＮＡＣＫチャネルＣＨ＃１）は常に１回目送信（初回送信）時のみに使用されるため、そのＡＣＫ／ＮＡＣＫチャネルに対応するＣＣＥ番号が最も小さいＣＣＥが使用できなくなることを防ぐことができる。よって、本実施の形態によれば、実施の形態１と同様、データ伝送効率を向上することができる。【００５４】
なお、本実施の形態では、上り回線割当用のＰＤＣＣＨに使用されるＣＣＥのうちＣＣＥ番号が最も大きいＣＣＥ（例えば、図３に示すＣＣＥ＃８）に関連付けられたＡＣＫ／ＮＡＣＫチャネル（例えば、図３に示すＡＣＫ／ＮＡＣＫチャネルＣＨ＃８）において、２回目の送信（１回目再送）が必要である場合、ＣＣＥ番号が最も小さいＣＣＥ（例えば、図３に示すＣＣＥ＃１）に関連付けられたＡＣＫ／ＮＡＣＫチャネル（例えば、図３に示すＡＣＫ／ＮＡＣＫチャネルＣＨ＃１）に巡回シフトしてもよい。なお、ＰＤＣＣＨが割り当てられる移動局数が最大であるときしかＣＣＥ番号の最も大きいＣＣＥは使用されない。よって、上り回線割当用のＰＤＣＣＨに使用されるＣＣＥのうち、ＣＣＥ番号が最も大きいＣＣＥ関連付けられたＡＣＫ／ＮＡＣＫチャネルに応答信号が割り当てられる確率は小さい。よって、ＣＣＥ番号が最も大きいＣＣＥ関連付けられたＡＣＫ／ＮＡＣＫチャネルが２回目送信（１回目再送）時に使用される確率も小さくなるため、ＣＣＥ番号が最も小さいＣＣＥに関連付けられたＡＣＫ／ＮＡＣＫチャネルに巡回シフトする確率も小さく、システム全体に及ぼす影響は少ない。【００５５】
また、本実施の形態では、２回目の送信（１回目再送）が必要である場合、１回目送信（初回送信）時に割り当てたＡＣＫ／ＮＡＣＫチャネルから１つだけ昇順にシフトしたＡＣＫ／ＮＡＣＫチャネルを使用する場合について説明したが、１回目送信（初回送信）時に割り当てたＡＣＫ／ＮＡＣＫチャネルから２つ以上昇順にシフトしたＡＣＫ／ＮＡＣＫチャネルを使用してもよい。【００５６】
（実施の形態３）
本実施の形態では、２回目送信以降（再送）の上り回線データに対する応答信号を、１回目送信（初回送信）時に割り当てたＡＣＫ／ＮＡＣＫチャネルのチャネル番号がより小さいほどチャネル番号がより大きいＡＣＫ／ＮＡＣＫチャネルに割り当てる。すなわち、２回目送信以降（再送）の上り回線データに対する応答信号を、１回目送信（初回送信）時に割り当てたＡＣＫ／ＮＡＣＫチャネルのチャネル番号と鏡像関係にあるチャネル番号のＡＣＫ／ＮＡＣＫチャネルに割り当てる。【００５７】
本実施の形態に係るＡＣＫ／ＮＡＣＫチャネル割当部１０５（図１）は、送信判別部１０４からの判別結果が初回送信である場合には、変調部１０３から入力される応答信号を、ＰＤＣＣＨ割当部１０１から入力されるＣＣＥ割当情報に基づくＡＣＫ／ＮＡＣＫチャネルに割り当てる。また、ＡＣＫ／ＮＡＣＫチャネル割当部１０５は、ＰＤＣＣＨを構成するＣＣＥが複数の場合、実施の形態２と同様、ＰＤＣＣＨを構成する複数のＣＣＥのうちＣＣＥ番号が最も小さいＣＣＥに関連付けられたＡＣＫ／ＮＡＣＫチャネルに応答信号を割り当てる。一方、ＡＣＫ／ＮＡＣＫチャネル割当部１０５は、送信判別部１０４からの判別結果が再送である場合には、応答信号を、１回目送信（初回送信）時に割り当てたＡＣＫ／ＮＡＣＫチャネルのチャネル番号がより小さいほどチャネル番号がより大きいＡＣＫ／ＮＡＣＫチャネルに割り当てる。具体的には、ＣＣＥ総数（ＡＣＫ／ＮＡＣＫチャネル数と同数）をＮとし、１回目送信（初回送信）時に割り当てたＡＣＫ／ＮＡＣＫチャネルのチャネル番号を＃ｋとする場合、ＡＣＫ／ＮＡＣＫチャネル割当部１０５は、応答信号を、チャネル番号ＣＨ＃（Ｎ−（ｋ−１））のＡＣＫ／ＮＡＣＫチャネルに割り当てる。つまり、ＡＣＫ／ＮＡＣＫチャネル割当部１０５は、図４に示すように、応答信号を、１回目送信（初回送信）時に割り当てたＡＣＫ／ＮＡＣＫチャネルのチャネル番号と鏡像関係にあるチャネル番号のＡＣＫ／ＮＡＣＫチャネルに割り当てる。【００５８】
以下の説明では、図５上段に示すように、実施の形態１と同様、１２個（Ｎ＝１２）のＣＣＥ＃１〜＃１２を用いる。また、上り回線割当用のＰＤＣＣＨはＣＣＥ＃１からＣＣＥ＃６に昇順で使用され、下り回線割当用のＰＤＣＣＨはＣＣＥ＃１２からＣＣＥ＃７に降順で使用される。ここでは、図５上段に示すように、ＣＣＥ＃１〜＃６により上り回線割当用ＰＤＣＣＨ＃１、＃３、＃４および＃６が構成される。【００５９】
また、基地局では、図５中段に示すように、実施の形態１と同様、１２個のＣＣＥ＃１〜＃１２にそれぞれ対応する最大１２個のＡＣＫ／ＮＡＣＫチャネルＣＨ＃１〜＃１２を配置する下り回線リソース１〜１２を予め確保する。【００６０】
図５中段に示すように、ＡＣＫ／ＮＡＣＫチャネル割当部１０５は、１回目送信（初回送信）時には、実施の形態２と同様にして、ＰＤＣＣＨ＃１，＃３，＃４，＃６で割り当てられた上り回線データに対する応答信号を、ＡＣＫ／ＮＡＣＫチャネルＣＨ＃１，ＣＨ＃３，ＣＨ＃４，ＣＨ＃６にそれぞれ割り当てる。【００６１】
次いで、上り回線データに誤りが有り、上り回線データの２回目送信（１回目再送）が必要である場合、基地局では、２回目送信（１回目再送）時の上り回線データに対する応答信号を、１回目送信（初回送信）時に割り当てたＡＣＫ／ＮＡＣＫチャネルのチャネル番号がより小さいほどチャネル番号がより大きいＡＣＫ／ＮＡＣＫチャネルに割り当てる。例えば、１回目送信（初回送信）時の上り回線データに対する応答信号が、ＡＣＫ／ＮＡＣＫチャネルＣＨ＃１（ｋ＝１）に割り当てられた移動局に対しては、２回目送信（１回目再送）時の上り回線データに対する応答信号を、図５下段に示すように、ＡＣＫ／ＮＡＣＫチャネルＣＨ＃１２（＝１２−（１−１））に割り当てる。同様に、１回目送信（初回送信）時の上り回線データに対する応答信号が、ＡＣＫ／ＮＡＣＫチャネルＣＨ＃３（ｋ＝３）に割り当てられた移動局に対しては、２回目送信（１回目再送）時の上り回線データに対する応答信号を、図５下段に示すように、ＡＣＫ／ＮＡＣＫチャネルＣＨ＃１０（＝１２−（３−１））に割り当てる。１回目送信（初回送信）時の上り回線データに対する応答信号が、図５に示すＡＣＫ／ＮＡＣＫチャネルＣＨ＃４，＃６に割り当てられた移動局についても同様である。このように、基地局では、２回目送信（１回目再送）時の上り回線データに対する応答信号を、１回目送信（初回送信）時の上り回線データに対する応答信号が割り当てられたＡＣＫ／ＮＡＣＫチャネル（図４に示すＡＣＫ／ＮＡＣＫチャネルＣＨ＃１，ＣＨ＃３，ＣＨ＃４，ＣＨ＃６）と鏡像関係にあるＡＣＫ／ＮＡＣＫチャネル（図４に示すＡＣＫ／ＮＡＣＫチャネルＣＨ＃１２，ＣＨ＃１０，ＣＨ＃９，ＣＨ＃７）に割り当てられる。【００６２】
また、基地局では、実施の形態２と同様、２回目送信（１回目再送）の上り回線データに対する応答信号が割り当てられるＡＣＫ／ＮＡＣＫチャネルとの衝突回避を考慮して、新たな移動局に対するＰＤＣＣＨを割り当てる。【００６３】
例えば、図５に示すように、１回目送信（初回送信）時にＡＣＫ／ＮＡＣＫチャネルＣＨ＃１に応答信号が割り当てられた移動局で２回目送信（１回目再送）が必要である場合には、基地局は、２回目送信（１回目再送）時に使用されるＡＣＫ／ＮＡＣＫチャネルＣＨ＃１２以外のＡＣＫ／ＮＡＣＫチャネルに、新たな上り回線データに対する応答信号が割り当てられるように上り回線割当用のＰＤＣＣＨを構成する。【００６４】
ここで、図５に示すＣＣＥ＃１〜＃１２において、ＣＣＥ番号が最も小さいＣＣＥ＃１は上り回線割当用のＰＤＣＣＨとしての使用頻度が最も高く、ＣＣＥ番号が最も大きいＣＣＥ＃１２は下り回線割当用のＰＤＣＣＨとしての使用頻度が最も高い。換言すると、ＣＣＥ番号が最も大きいＣＣＥ＃１２は上り回線割当用のＰＤＣＣＨとしての使用頻度が最も低い。従って、チャネル番号が最大であるＡＣＫ／ＮＡＣＫチャネルＣＨ＃１２（ｋ＝１２）に１回目送信（初回送信）の上り回線データに対する応答信号が割り当てられる確率は小さい。換言すると、２回目送信（１回目再送）時に応答信号がＡＣＫ／ＮＡＣＫチャネルＣＨ＃１（＝１２−（１２−１））に割り当てられる確率は小さい。つまり、チャネル番号が最小であるＡＣＫ／ＮＡＣＫチャネルＣＨ＃１には、高い確率で１回目送信（初回送信）の上り回線データに対する応答信号を割り当てることができる。すなわち、基地局では、新たに制御情報を割り当てる移動局の上り回線割当用のＰＤＣＣＨとして、ＡＣＫ／ＮＡＣＫチャネルＣＨ＃１に対応するＣＣＥ＃１を高い確率で使用することができる。【００６５】
このように、２回目送信（１回目再送）の上り回線データに対する応答信号は、上り回線割当用のＰＤＣＣＨが割り当てられる頻度がより低いＣＣＥ（下り回線割当用のＰＤＣＣＨに割り当てられる頻度がより高いＣＣＥ）に関連付けられたＡＣＫ／ＮＡＣＫチャネルに割り当てられやすくなる。ここで、ＣＣＥが下り回線割当用のＰＤＣＣＨとして使用される場合には、そのＣＣＥに関連付けられたＡＣＫ／ＮＡＣＫチャネルは使用されない。【００６６】
よって、上り回線データの２回目送信（１回目再送）が必要である場合でも、基地局では、上り回線割当用のＰＤＣＣＨに使用される頻度が高いＣＣＥ、つまり、再送時の応答信号が割り当てられる確率が低いＡＣＫ／ＮＡＣＫチャネルに対応するＣＣＥ（例えば、図５に示すＣＣＥ＃１〜＃６）を使用して、新たな移動局に対するＰＤＣＣＨを割り当てることができる。また、上り回線割当用のＰＤＣＣＨとしての使用頻度がより低いＣＣＥ（例えば、ＣＣＥ＃７〜＃１２）に関連付けられたＡＣＫ／ＮＡＣＫチャネルに、再送時の応答信号が割り当てられる確率がより高くなる。このため、基地局は、ＡＣＫ／ＮＡＣＫチャネルが配置される下り回線リソース１〜１２を有効利用することができる。【００６７】
このようにして、本実施の形態によれば、２回目送信（１回目再送）時の上り回線データに対する応答信号を、１回目送信（初回送信）時に割り当てたＡＣＫ／ＮＡＣＫチャネルのチャネル番号と鏡像関係にあるＡＣＫ／ＮＡＣＫチャネルに割り当てる。これにより、チャネル番号が最も小さいＡＣＫ／ＮＡＣＫチャネル（図５に示すＡＣＫ／ＮＡＣＫチャネルＣＨ＃１）は高い確率で１回目送信（初回送信）時に使用することができるため、そのＡＣＫ／ＮＡＣＫチャネルに対応するＣＣＥ番号が最も小さいＣＣＥが使用できなくなることを防ぐことができる。よって、本実施の形態によれば、実施の形態１と同様、データ伝送効率を向上することができる。【００６８】
さらに、本実施の形態によれば、２回目送信（１回目再送）の応答信号を、上り回線割当用のＰＤＣＣＨに使用される頻度がより低いＣＣＥに関連付けられたＡＣＫ／ＮＡＣＫチャネルに割り当てる。このため、基地局では、新たな移動局に対するＰＤＣＣＨを割り当てる際に、２回目送信（１回目再送）の応答信号が割り当てられたＡＣＫ／ＮＡＣＫチャネルとの衝突回避のためのＣＣＥの使用制限がより小さくなる。よって、本実施の形態によれば、ＣＣＥの利用効率を向上することができる。また、２回目送信（１回目再送）の応答信号を、上り回線割当用のＰＤＣＣＨに使用される頻度がより低いＣＣＥに関連付けられたＡＣＫ／ＮＡＣＫチャネルに割り当てるため、ＡＣＫ／ＮＡＣＫチャネルが配置される下り回線リソースの利用効率を向上することができる。【００６９】
なお、本実施の形態では、２回目送信（１回目再送）までのＡＣＫ／ＮＡＣＫチャネルの割当方法について説明したが、３回目送信（２回目再送）以降についても本発明を適用してもよい。具体的には、各再送時の上り回線データに対する応答信号を、前回送信時に使用したＡＣＫ／ＮＡＣＫチャネルと鏡像関係（上述したチャネル番号＃ｋとチャネル番号＃（Ｎ−（ｋ−１））との関係）にあるＡＣＫ／ＮＡＣＫチャネルに割り当てる。例えば、ＡＣＫ／ＮＡＣＫチャネル割当部１０５は、上述したように、１回目送信（初回送信）時の上り回線データに対する応答信号をＡＣＫ／ＮＡＣＫチャネルＣＨ＃１に割り当て、２回目送信（１回目再送）時の上り回線データに対する応答信号をＡＣＫ／ＮＡＣＫチャネルＣＨ＃１２（ＡＣＫ／ＮＡＣＫチャネルＣＨ＃１と鏡像関係）に割り当てる。そして、ＡＣＫ／ＮＡＣＫチャネル割当部１０５は、３回目送信（２回目再送）時の上り回線データに対する応答信号をＡＣＫ／ＮＡＣＫチャネルＣＨ＃１（ＡＣＫ／ＮＡＣＫチャネルＣＨ＃１２と鏡像関係）に割り当てる。これにより、３回目以降の送信（２回目以降の再送）が必要な場合でも、２回目送信（１回目再送）時の上り回線データに対する応答信号が割り当てられたＡＣＫ／ＮＡＣＫチャネルと３回目送信以降（２回目再送以降）の上り回線データに対する応答信号が割り当てられたＡＣＫ／ＮＡＣＫチャネルとの衝突を回避できる。よって、３回目送信以降（２回目再送以降）の上り回線データに対する応答信号を割り当てるＡＣＫ／ＮＡＣＫチャネルを別途確保する必要がなくなる。なお、３回目送信以降（２回目再送以降）の応答信号が割り当てられたＡＣＫ／ＮＡＣＫチャネルとの衝突回避のために、新たな移動局に対するＣＣＥの使用制限が生じる。しかし、３回目送信以降（２回目再送以降）が必要になる確率は小さく、システム全体に与える影響は少ない。【００７０】
また、本実施の形態において、複数の上り回線割当用のＰＤＣＣＨによって使用されるＣＣＥ数が７個以上の場合、ＣＣＥ番号が７以上のＣＣＥで通知された移動局の１回目送信（初回送信）時の上り回線データに対する応答信号は、チャネル番号が７以上のＡＣＫ／ＮＡＣＫチャネルに割り当てられる。ここで、２回目送信（１回目再送）が必要である場合、１回目送信（初回送信）時のＡＣＫ／ＮＡＣＫチャネルと鏡像関係（図４）にあるＡＣＫ／ＮＡＣＫチャネルのチャネル番号は６以下となる。このため、２回目送信（１回目再送）時のＡＣＫ／ＮＡＣＫチャネルと新たな移動局が使用するＡＣＫ／ＮＡＣＫチャネルとの衝突を回避するために、新たな移動局に対するＣＣＥの使用制限が生じる。しかし、複数の上り回線割当用のＰＤＣＣＨによって使用されるＣＣＥ数が７個以上必要となる場合、つまり、ＣＣＥ総数の半数以上が必要となる場合は稀であり、システム全体に与える影響は少ない。【００７１】
また、２回目以降の送信（再送）が必要である場合、その上り回線データに対する応答信号を、１回目送信（初回送信）時に割り当てたＡＣＫ／ＮＡＣＫチャネルからＣＣＥ総数の半数だけ巡回シフトしたＡＣＫ／ＮＡＣＫチャネルに割り当ててもよい。具体的には、ＣＣＥ総数をＮとし、１回目送信（初回送信）時に割り当てたＡＣＫ／ＮＡＣＫチャネルのチャネル番号を＃ｋとする場合、ＡＣＫ／ＮＡＣＫチャネル割当部１０５は、２回目送信（１回目再送）時の上り回線データに対する応答信号を、チャネル番号ＣＨ＃（（（ｋ−１）＋Ｎ／２）ｍｏｄ  Ｎ）＋１のＡＣＫ／ＮＡＣＫチャネルに割り当てる。例えば、１回目送信（初回送信）時の上り回線データに対する応答信号が、ＡＣＫ／ＮＡＣＫチャネルＣＨ＃１（ｋ＝１）に割り当てられた移動局に対しては、２回目送信（１回目再送）時の上り回線データに対する応答信号を、図６下段に示すように、ＡＣＫ／ＮＡＣＫチャネルＣＨ＃７（＝（（（１−１）＋６）ｍｏｄ  １２）＋１）に割り当てる。同様に、１回目送信（初回送信）時の上り回線データに対する応答信号が、ＡＣＫ／ＮＡＣＫチャネルＣＨ＃３（ｋ＝３）に割り当てられた移動局に対しては、２回目送信（１回目再送）時の上り回線データに対する応答信号を、図６下段に示すように、ＡＣＫ／ＮＡＣＫチャネルＣＨ＃９（＝（（（３−１）＋６）ｍｏｄ  １２）＋１）に割り当てる。１回目送信（初回送信）時の上り回線データに対する応答信号が、図６に示すＡＣＫ／ＮＡＣＫチャネルＣＨ＃４，＃６に割り当てられた移動局についても同様である。これにより、２回目送信以降（再送）の上り回線データに対する応答信号を送信し続ける場合でも、本実施の形態と同様、２回目送信（１回目再送）の応答信号を、ＣＣＥ番号がより大きいＣＣＥ、つまり、上り回線割当用のＰＤＣＣＨに使用される頻度がより低いＣＣＥに関連付けられたＡＣＫ／ＮＡＣＫチャネルに割り当てることができるため、本実施の形態と同様の効果を得ることができる。【００７２】
（実施の形態４）
本実施の形態では、１回目送信（初回送信）時の上り回線データに対する応答信号が割り当てられるＡＣＫ／ＮＡＣＫチャネルを、所定の単位時間で切り替える。【００７３】
ここでは、所定の時間単位をＨＡＲＱのＲＴＤ（Round Trip Delay）時間、つまり、１回目送信（初回送信）してから２回目送信（１回目再送）するまでの時間間隔として説明する。図７に示すように、ＨＡＲＱプロセスが８であれば、ＲＴＤ時間内には８つのＨＡＲＱプロセス（ＨＡＲＱプロセス＃１〜＃８）が存在する。すなわち、ＲＴＤ時間は８サブフレームとなる。また、ＲＴＤ時間で区切った時間単位をＨＡＲＱフレームと呼ぶ。【００７４】
本実施の形態に係るＡＣＫ／ＮＡＣＫチャネル割当部１０５（図１）は、送信判別部１０４からの判別結果が初回送信である場合には、変調部１０３から入力される応答信号を、ＨＡＲＱフレーム番号とＰＤＣＣＨ割当部１０１から入力されるＣＣＥ割当情報とに基づくＡＣＫ／ＮＡＣＫチャネルに割り当てる。具体的には、ＡＣＫ／ＮＡＣＫチャネル割当部１０５は、ＨＡＲＱフレーム番号が奇数であるＨＡＲＱフレームでは、ＰＤＣＣＨを構成する複数のＣＣＥのうちＣＣＥ番号が最も小さいＣＣＥのＣＣＥ番号（ＣＣＥ番号＃ｋ）と同一のチャネル番号（チャネル番号ＣＨ＃ｋ）のＡＣＫ／ＮＡＣＫチャネルに応答信号を割り当てる。また、ＡＣＫ／ＮＡＣＫチャネル割当部１０５は、ＨＡＲＱフレーム番号が偶数であるＨＡＲＱフレームでは、ＰＤＣＣＨを構成する複数のＣＣＥのうちＣＣＥ番号が最も小さいＣＣＥのＣＣＥ番号（ＣＣＥ番号＃ｋ）と鏡像関係にあるチャネル番号（チャネル番号ＣＨ＃（Ｎ−（ｋ−１）））のＡＣＫ／ＮＡＣＫチャネルに応答信号を割り当てる。【００７５】
一方、ＡＣＫ／ＮＡＣＫチャネル割当部１０５は、送信判別部１０４からの判別結果が再送である場合には、応答信号を、１回目送信（初回送信）時に割り当てたＡＣＫ／ＮＡＣＫチャネルと同一のＡＣＫ／ＮＡＣＫチャネルに割り当てる。【００７６】
以下の説明では、図８上段に示すように、実施の形態１と同様、１２個のＣＣＥ＃１〜＃１２を用いる。また、実施の形態３と同様、上り回線割当用のＰＤＣＣＨはＣＣＥ＃１からＣＣＥ６に昇順で使用され、下り回線割当用のＰＤＣＣＨはＣＣＥ＃１２からＣＣＥ＃７に降順で使用される。また、図８上段に示すように、ＣＣＥ＃１〜＃６により上り回線割当用ＰＤＣＣＨ＃１、＃３、＃４および＃６が構成される。【００７７】
また、基地局では、図８下段に示すように、実施の形態１と同様、１２個のＣＣＥ＃１〜＃１２にそれぞれ対応する最大１２個のＡＣＫ／ＮＡＣＫチャネルＣＨ＃１〜＃１２を配置する下り回線リソース１〜１２を予め確保する。【００７８】
まず、ＨＡＲＱフレーム番号が奇数のＨＡＲＱフレームにおけるＡＣＫ／ＮＡＣＫチャネルの割当について説明する。ＡＣＫ／ＮＡＣＫチャネル割当部１０５は、図８に示すように、１回目送信（初回送信）時の上り回線データに対する応答信号を、各ＰＤＣＣＨを構成する複数のＣＣＥのうちＣＣＥ番号が最も小さいＣＣＥのＣＣＥ番号と同一のチャネル番号のＡＣＫ／ＮＡＣＫチャネル（図８に示す実線の矢印）に割り当てる。具体的には、図８に示すように、ＡＣＫ／ＮＡＣＫチャネル割当部１０５は、ＨＡＲＱフレーム番号が奇数のＨＡＲＱフレームにおける１回目送信（初回送信）時には、ＰＤＣＣＨ＃１，＃３，＃４，＃６で割り当てられた上り回線データに対する応答信号を、ＡＣＫ／ＮＡＣＫチャネルＣＨ＃１，ＣＨ＃３，ＣＨ＃４，ＣＨ＃６にそれぞれ割り当てる。【００７９】
次いで、ＨＡＲＱフレーム番号が偶数のＨＡＲＱフレームにおけるＡＣＫ／ＮＡＣＫチャネルの割当について説明する。ＡＣＫ／ＮＡＣＫチャネル割当部１０５は、図８に示すように、１回目送信（初回送信）時の上り回線データに対応する応答信号を、各ＰＤＣＣＨを構成する複数のＣＣＥのうちＣＣＥ番号が最も小さいＣＣＥのＣＣＥ番号と鏡像関係にあるチャネル番号のＡＣＫ／ＮＡＣＫチャネル（図８に示す鎖線の矢印）に割り当てる。具体的には、図８に示すように、ＡＣＫ／ＮＡＣＫチャネル割当部１０５は、ＨＡＲＱフレーム番号が偶数のＨＡＲＱフレームにおける１回目送信（初回送信）時には、ＰＤＣＣＨ＃１，＃３，＃４，＃６で割り当てられた上り回線データに対する応答信号を、ＡＣＫ／ＮＡＣＫチャネルＣＨ＃１２，ＣＨ＃１０，ＣＨ＃９，ＣＨ＃７にそれぞれ割り当てる。【００８０】
また、上り回線データの２回目送信（１回目再送）が必要である場合、ＡＣＫ／ＮＡＣＫチャネル割当部１０５は、２回目送信（１回目再送）時の上り回線データに対する応答信号を、１回目送信（初回送信）時に割り当てたＡＣＫ／ＮＡＣＫチャネルと同一のＡＣＫ／ＮＡＣＫチャネルに割り当てる。例えば、図８に示すように、ＡＣＫ／ＮＡＣＫチャネル割当部１０５は、ＨＡＲＱフレーム番号が偶数のＨＡＲＱフレームにおける２回目送信（１回目再送）時の上り回線データに対する応答信号を、ＨＡＲＱフレーム番号が奇数のＨＡＲＱフレームにおける１回目送信（初回送信）時に割り当てたＡＣＫ／ＮＡＣＫチャネルと同一のＡＣＫ／ＮＡＣＫチャネルＣＨ＃１，ＣＨ＃３，ＣＨ＃４，ＣＨ＃６に割り当てる。【００８１】
このように、図８の実線の矢印および鎖線の矢印で示すように、ＨＡＲＱフレーム毎にＣＣＥとＡＣＫ／ＮＡＣＫチャネルとの関連付けを切り替える。例えば、ＨＡＲＱフレーム番号が偶数のＨＡＲＱフレームでは、２回目送信（１回目再送）の応答信号が、上り回線割当用のＰＤＣＣＨに使用される頻度がより高いＣＣＥ（図８に示すＣＣＥ＃１〜＃６）のＣＣＥ番号と同一のチャネル番号のＡＣＫ／ＮＡＣＫチャネルＣＨ＃１〜＃６のいずれかに割り当てられる。これに対し、ＨＡＲＱフレーム番号が偶数のＨＡＲＱフレームでは、１回目送信（初回送信）の応答信号が、上り回線割当用のＰＤＣＣＨに使用される頻度がより高いＣＣＥ（図８に示すＣＣＥ＃７〜＃１２）のＣＣＥ番号と鏡像関係にあるチャネル番号のＡＣＫ／ＮＡＣＫチャネルＣＨ＃１２〜＃７のいずれかに割り当てられる。【００８２】
また、上り回線割当用のＰＤＣＣＨには、ＣＣＥ番号がより小さいＣＣＥから昇順に割り当てられるため、ＨＡＲＱフレーム番号が偶数のＨＡＲＱフレームでは、２回目送信（つまり、ＨＡＲＱフレーム番号が奇数のＨＡＲＱフレームで初回送信された移動局の再送）の応答信号が、チャネル番号がより小さいＡＣＫ／ＮＡＣＫチャネルに割り当てられる確率がより高くなる。一方、ＨＡＲＱフレーム番号が偶数のＨＡＲＱフレームでは、上り回線割当用のＰＤＣＣＨに使用されるＣＣＥのＣＣＥ番号と鏡像関係にあるチャネル番号のＡＣＫ／ＮＡＣＫチャネルを用いるため、１回目送信（初回送信）の応答信号が、チャネル番号がより大きいＡＣＫ／ＮＡＣＫチャネルに割り当てられる確率がより高くなる。つまり、２回目送信（１回目再送）の応答信号が割り当てられるＡＣＫ／ＮＡＣＫチャネルと１回目送信（初回送信）の応答信号が割り当てられるＡＣＫ／ＮＡＣＫチャネルとが同一になる確率がより小さくなる。よって、ＨＡＲＱフレーム番号が偶数のＨＡＲＱフレームでは、基地局は、２回目送信（１回目再送）の応答信号が割り当てられるＡＣＫ／ＮＡＣＫチャネルとの衝突回避を考慮して、新たな移動局に対するＰＤＣＣＨを構成するＣＣＥを割り当てるものの、ＣＣＥの使用制限はほとんどない。また、ＨＡＲＱフレーム番号が奇数のＨＡＲＱフレームにおいても同様である。【００８３】
このようにして、本実施の形態によれば、ＨＡＲＱフレーム番号が奇数のＨＡＲＱフレームの場合には、上り回線割当用のＰＤＣＣＨに割り当てられたＣＣＥのＣＣＥ番号と同一のチャネル番号のＡＣＫ／ＮＡＣＫチャネルに応答信号を割り当てる。また、ＨＡＲＱフレーム番号が偶数のＨＡＲＱフレームの場合には、上り回線割当用のＰＤＣＣＨに割り当てられたＣＣＥのＣＣＥ番号と鏡像関係にあるチャネル番号のＡＣＫ／ＮＡＣＫチャネルに応答信号を割り当てる。これより、チャネル番号が最も小さいＡＣＫ／ＮＡＣＫチャネル（図８に示すＡＣＫ／ＮＡＣＫチャネルＣＨ＃１）が２回目送信（初回送信）に使用される場合でも、そのＡＣＫ／ＮＡＣＫチャネルに対応するＣＣＥ番号が最も小さいＣＣＥは、次のＨＡＲＱフレームにおいて、異なるＡＣＫ／ＮＡＣＫチャネルに関連付けられる。よって、ＣＣＥ番号が最も小さいＣＣＥが使用できなくなることを防ぐことができる。よって、本実施の形態によれば、ＣＣＥ番号が最も小さいＣＣＥが使用できなくなることを防ぐことができ、実施の形態１と同様、データ伝送効率を向上することができる。【００８４】
さらに、本実施の形態によれば、例えば、ＨＡＲＱフレーム番号が奇数のＨＡＲＱフレームでは、上り回線割当用のＰＤＣＣＨとして使用される頻度がより高いＣＣＥ（ＣＣＥ番号がより小さいＣＣＥ）に関連付けられたＡＣＫ／ＮＡＣＫチャネルが使用される。そして、そのＡＣＫ／ＮＡＣＫチャネルを使用した移動局の２回目送信（１回目再送）が行われるＨＡＲＱフレーム番号が偶数のＨＡＲＱフレームでは、新たな移動局の１回目送信（初回送信）時の応答信号に対して、チャネル番号がより大きいＡＣＫ／ＮＡＣＫチャネルが使用される。このため、ＨＡＲＱフレーム番号が偶数のＨＡＲＱフレームでは、基地局が新たな移動局への上り回線割当用のＰＤＣＣＨを割り当てる際に、２回目送信（１回目再送）のＡＣＫ／ＮＡＣＫチャネルとの衝突を回避するためのＣＣＥの使用制限がより小さくなる。よって、本実施の形態によれば、基地局でのＣＣＥ使用効率が向上する。なお、ＨＡＲＱフレーム番号が奇数のＨＡＲＱフレームでも同様である。【００８５】
なお、３回目送信（２回目再送）が必要である場合、３回目送信（２回目再送）の応答信号が割り当てられたＡＣＫ／ＮＡＣＫチャネルと新たな移動局の１回目送信（初回送信）の応答信号が割り当てられるＡＣＫ／ＮＡＣＫチャネルとの衝突回避のために、新たな移動局に対するＣＣＥの使用制限が生じる。しかし、３回目送信以降（２回目再送以降）が必要になる確率は小さく、システム全体に与える影響は少ない。【００８６】
また、本実施の形態のＨＡＲＱフレーム番号が偶数のＨＡＲＱフレームにおけるＣＣＥとＡＣＫ／ＮＡＣＫチャネルとの関連付けは、上り回線割当用のＰＤＣＣＨに使用されるＣＣＥのＣＣＥ番号からＣＣＥ総数の半数だけ巡回シフトしたチャネル番号のＡＣＫ／ＮＡＣＫチャネルに割り当ててもよい。具体的には、ＣＣＥ総数をＮとし、上り回線割当用のＰＤＣＣＨに使用されるＣＣＥ番号を＃ｋとする場合、ＡＣＫ／ＮＡＣＫチャネル割当部１０５は、応答信号を、チャネル番号ＣＨ＃（（（ｋ−１）＋Ｎ／２）ｍｏｄ  Ｎ）＋１のＡＣＫ／ＮＡＣＫチャネルに割り当てる。これにより、本実施の形態と同様、ＨＡＲＱフレーム番号が偶数のＨＡＲＱフレームでは、２回目送信（１回目再送）のＡＣＫ／ＮＡＣＫチャネルとして、上り回線割当用のＰＤＣＣＨに使用される頻度がより低いＣＣＥ（下り回線割当用のＰＤＣＣＨに使用される頻度がより高いＣＣＥ）に関連付けられたＡＣＫ／ＮＡＣＫチャネルが使用される。よって、本実施の形態と同様の効果を得ることができる。【００８７】
また、本実施の形態において、複数の上り回線割当用のＰＤＣＣＨによって使用されるＣＣＥ数が７個以上の場合には、ＣＣＥ番号が７以上のＣＣＥで通知された移動局の２回目送信（１回目再送）時の上り回線データに対する応答信号が割り当てられたＡＣＫ／ＮＡＣＫチャネルのチャネル番号は６以下となる。このため、新たな移動局への１回目送信（初回送信）時の上り回線データに対する応答信号が割り当てられるＡＣＫ／ＮＡＣＫチャネルと衝突する可能性がある。よって、そのＡＣＫ／ＮＡＣＫチャネルでの衝突を回避するために、新たな移動局に対するＣＣＥの使用制限が生じる。しかし、複数の上り回線割当用のＰＤＣＣＨによって使用されるＣＣＥ数が７個以上必要となる場合、つまり、ＣＣＥ総数の半数以上が必要となる場合は稀であり、システム全体に与える影響は少ない。【００８８】
また、本実施の形態では、ＨＡＲＱプロセス数が偶数（つまり、ＲＴＤ時間が偶数サブフレーム）である場合について説明したが、ＨＡＲＱプロセス数が奇数（つまり、ＲＴＤ時間が奇数サブフレーム）である場合にも本発明を適用することができる。ＨＡＲＱプロセス数が奇数である場合には、サブフレーム単位で１回目送信（初回送信）時の上り回線データに対する応答信号に用いるＡＣＫ／ＮＡＣＫチャネルを切り替えるようにしてもよい。この場合、２回目送信以降（再送）の応答信号が割り当てられるＡＣＫ／ＮＡＣＫチャネルと新たな移動局の１回目送信（初回送信）時の上り回線データに対する応答信号が割り当てられるＡＣＫ／ＮＡＣＫチャネルとは、ＣＣＥとの関連付けが互いに異なるため、本実施の形態と同様の効果を得ることができる。【００８９】
（実施の形態５）
本実施の形態では、上り回線割当用のＰＤＣＣＨおよび下り回線割当用のＰＤＣＣＨが配置されるＣＣＥを所定の単位時間で切り替える。【００９０】
ここでは、実施の形態４と同様、所定の時間単位を図７に示すＨＡＲＱのＲＴＤ時間として説明する。【００９１】
本実施の形態に係るＰＤＣＣＨ割当部１０１（図１）は、ＨＡＲＱフレーム番号が奇数であるＨＡＲＱフレームでは、上り回線割当用のＰＤＣＣＨをＣＣＥ番号がより小さいＣＣＥから昇順に割り当て、下り回線割当用のＰＤＣＣＨをＣＣＥ番号がより大きいＣＣＥから降順に割り当てる。一方、ＨＡＲＱフレーム番号が偶数であるＨＡＲＱフレームでは、上り回線割当用のＰＤＣＣＨをＣＣＥ番号がより大きいＣＣＥから降順に割り当て、下り回線割当用のＰＤＣＣＨをＣＣＥ番号がより小さいＣＣＥから昇順に割り当てる。【００９２】
本実施の形態に係るＡＣＫ／ＮＡＣＫチャネル割当部１０５（図１）は、送信判別部１０４からの判別結果が初回送信である場合には、変調部１０３から入力される応答信号を、ＰＤＣＣＨ割当部１０１から入力されるＣＣＥ割当情報に基づくＡＣＫ／ＮＡＣＫチャネルに割り当てる。具体的には、ＡＣＫ／ＮＡＣＫチャネル割当部１０５は、ＰＤＣＣＨを構成する複数のＣＣＥのうちＣＣＥ番号が最も小さいＣＣＥのＣＣＥ番号に関連付けられたＡＣＫ／ＮＡＣＫチャネルに応答信号を割り当てる。また、ＡＣＫ／ＮＡＣＫチャネル割当部１０５は、送信判別部１０４からの判別結果が再送である場合には、応答信号を、１回目送信（初回送信）時に割り当てたＡＣＫ／ＮＡＣＫチャネルと同一のＡＣＫ／ＮＡＣＫチャネルに割り当てる。【００９３】
以下の説明では、図９上段および図１０上段に示すように、実施の形態１と同様、１２個のＣＣＥ＃１〜＃１２を用いる。また、基地局では、図９下段および図１０下段に示すように、実施の形態１と同様、１２個のＣＣＥ＃１〜＃１２にそれぞれ対応する最大１２個のＡＣＫ／ＮＡＣＫチャネルＣＨ＃１〜＃１２を配置する下り回線リソース１〜１２を予め確保する。また、図９上段および図１０上段に示すように、上り回線割当用ＰＤＣＣＨとして、６個のＣＣＥにより、２個のＣＣＥから成るＰＤＣＣＨが２個構成され、１個のＣＣＥから成るＰＤＣＣＨが２個構成される。【００９４】
まず、ＨＡＲＱフレーム番号が奇数のＨＡＲＱフレームにおけるＡＣＫ／ＮＡＣＫチャネルの割当について説明する。ＨＡＲＱフレーム番号が奇数のＨＡＲＱフレームでは、図９に示すように、上り回線割当用のＰＤＣＣＨは、ＣＣＥ＃１からＣＣＥ＃６に昇順で使用される。そこで、図９上段に示すように、ＣＣＥ＃１〜＃６の６個のＣＣＥにより上り回線割当用ＰＤＣＣＨ＃１、＃３、＃４および＃６が構成される。よって、ＡＣＫ／ＮＡＣＫチャネル割当部１０５は、図９に示すように、１回目送信（初回送信）時の上り回線データに対する応答信号を、各ＰＤＣＣＨを構成する複数のＣＣＥのうちＣＣＥ番号が最も小さいＣＣＥに関連付けられたＡＣＫ／ＮＡＣＫチャネルに割り当てる。具体的には、図９に示すように、ＡＣＫ／ＮＡＣＫチャネル割当部１０５は、ＰＤＣＣＨ＃１，＃３，＃４，＃６で割り当てられた上り回線データに対する応答信号を、ＡＣＫ／ＮＡＣＫチャネルＣＨ＃１，ＣＨ＃３，ＣＨ＃４，ＣＨ＃６にそれぞれ割り当てる。【００９５】
次いで、ＨＡＲＱフレーム番号が偶数のＨＡＲＱフレームにおけるＡＣＫ／ＮＡＣＫチャネルの割当について説明する。ＨＡＲＱフレーム番号が偶数のＨＡＲＱフレームでは、図１０に示すように、上り回線割当用のＰＤＣＣＨは、ＣＣＥ＃１２からＣＣＥ＃７に降順で使用される。そこで、図１０上段に示すように、ＣＣＥ＃１２〜＃７の６個のＣＣＥにより上り回線割当用ＰＤＣＣＨ＃１１、＃１０、＃８および＃７が構成される。よって、ＡＣＫ／ＮＡＣＫチャネル割当部１０５は、図１０に示すように、１回目送信（初回送信）時の上り回線データに対する応答信号を、各ＰＤＣＣＨを構成する複数のＣＣＥのうちＣＣＥ番号が最も小さいＣＣＥに関連付けられたＡＣＫ／ＮＡＣＫチャネルに割り当てる。具体的には、図１０に示すように、ＡＣＫ／ＮＡＣＫチャネル割当部１０５は、ＰＤＣＣＨ＃１１，＃１０，＃８，＃７で割り当てられた上り回線データに対する応答信号を、ＡＣＫ／ＮＡＣＫチャネルＣＨ＃１１，ＣＨ＃１０，ＣＨ＃８，ＣＨ＃７にそれぞれ割り当てる。【００９６】
また、上り回線データの２回目送信（１回目再送）が必要である場合、ＡＣＫ／ＮＡＣＫチャネル割当部１０５は、２回目送信（１回目再送）時の上り回線データに対する応答信号を、１回目送信（初回送信）時に割り当てたＡＣＫ／ＮＡＣＫチャネルと同一のＡＣＫ／ＮＡＣＫチャネルに割り当てる。例えば、図９に示すように、ＡＣＫ／ＮＡＣＫチャネル割当部１０５は、ＨＡＲＱフレーム番号が偶数のＨＡＲＱフレームにおける２回目送信（１回目再送）時の上り回線データに対する応答信号を、ＨＡＲＱフレーム番号が奇数のＨＡＲＱフレームにおける１回目送信（初回送信）時に割り当てたＡＣＫ／ＮＡＣＫチャネルと同一のＡＣＫ／ＮＡＣＫチャネルＣＨ＃１，ＣＨ＃３，ＣＨ＃４，ＣＨ＃６に割り当てる。【００９７】
また、基地局では、実施の形態１と同様、２回目送信（１回目再送）の上り回線データに対する応答信号が割り当てられるＡＣＫ／ＮＡＣＫチャネルとの衝突回避を考慮して、新たな移動局に対するＰＤＣＣＨを割り当てる。【００９８】
図９および図１０に示すように、上り回線割当用のＰＤＣＣＨおよび下り回線割当用のＰＤＣＣＨが配置されるＣＣＥをＨＡＲＱフレーム毎に切り替える。例えば、ＨＡＲＱフレーム番号が偶数のＨＡＲＱフレームでは、２回目送信（１回目再送）の応答信号が、図９に従って上り回線割当用のＰＤＣＣＨに割り当てられたＣＣＥ、つまり、チャネル番号がより小さいＣＣＥ（図９に示すＣＣＥ＃１〜＃６）に関連付けられたＡＣＫ／ＮＡＣＫチャネルＣＨ＃１〜＃６のいずれかに割り当てられる。これに対し、ＨＡＲＱフレーム番号が偶数のＨＡＲＱフレームでは、１回目送信（初回送信）の応答信号が、図１０に従って上り回線割当用のＰＤＣＣＨに割り当てられたＣＣＥ、つまり、チャネル番号がより大きいＣＣＥ（図１０に示すＣＣＥ＃１２〜＃７）に関連付けられたＡＣＫ／ＮＡＣＫチャネルＣＨ＃１２〜＃７のいずれかに割り当てられる。【００９９】
また、ＨＡＲＱフレーム番号が奇数のＨＡＲＱフレームでは、上り回線割当用のＰＤＣＣＨには、ＣＣＥ番号がより小さいＣＣＥから昇順に割り当てられる。このため、ＨＡＲＱフレーム番号が偶数のＨＡＲＱフレームでは、２回目送信（１回目再送）の応答信号が、チャネル番号がより小さいＡＣＫ／ＮＡＣＫチャネルに割り当てられる確率がより高くなる。一方、ＨＡＲＱフレーム番号が偶数のＨＡＲＱフレームでは、上り回線割当用のＰＤＣＣＨには、ＣＣＥ番号がより大きいＣＣＥから降順に割り当てられる。このため、ＨＡＲＱフレーム番号が偶数のＨＡＲＱフレームでは、１回目送信（初回送信）の応答信号が、チャネル番号がより大きいＡＣＫ／ＮＡＣＫチャネルに割り当てられる確率がより高くなる。つまり、実施の形態４と同様、２回目送信（１回目再送）の応答信号が割り当てられるＡＣＫ／ＮＡＣＫチャネルと１回目送信（初回送信）の応答信号が割り当てられるＡＣＫ／ＮＡＣＫチャネルとが同一になる確率がより小さくなる。従って、ＨＡＲＱフレーム番号が偶数のＨＡＲＱフレームでは、基地局は、実施の形態４と同様、２回目送信（１回目再送）の応答信号が割り当てられるＡＣＫ／ＮＡＣＫチャネルとの衝突回避を考慮して、新たな移動局に対するＰＤＣＣＨを構成するＣＣＥを割り当てるものの、ＣＣＥの使用制限はほとんどない。また、ＨＡＲＱフレーム番号が奇数のＨＡＲＱフレームにおいても同様である。【０１００】
このようにして、本実施の形態によれば、ＨＡＲＱフレーム番号が奇数のＨＡＲＱフレームの場合には、上り回線割当用のＰＤＣＣＨをＣＣＥ番号がより小さいＣＣＥから昇順に割り当て、ＨＡＲＱフレーム番号が偶数のＨＡＲＱフレームの場合には、上り回線割当用のＰＤＣＣＨをＣＣＥ番号がより大きいＣＣＥから降順に割り当てる。これより、チャネル番号が最も小さいＡＣＫ／ＮＡＣＫチャネル（図９に示すＡＣＫ／ＮＡＣＫチャネルＣＨ＃１）が２回目送信（初回送信）に使用される場合でも、そのＡＣＫ／ＮＡＣＫチャネルに対応するＣＣＥ番号が最も小さいＣＣＥは、次のＨＡＲＱフレームにおいて、下り回線割当用ＰＤＣＣＨに割り当てることができる。よって、ＣＣＥ番号が最も小さいＣＣＥが使用できなくなることを防ぐことができる。よって、本実施の形態によれば、ＣＣＥ番号が最も小さいＣＣＥが使用できなくなることを防ぐことができ、実施の形態１と同様、データ伝送効率を向上することができる。【０１０１】
さらに、本実施の形態によれば、例えば、ＨＡＲＱフレーム番号が奇数のＨＡＲＱフレームでは、上り回線割当用のＰＤＣＣＨとして使用される頻度がより高いＣＣＥ（ＣＣＥ番号がより小さいＣＣＥ）に関連付けられたチャネル番号がより小さいＡＣＫ／ＮＡＣＫチャネルがより高い頻度で使用される。そして、そのＡＣＫ／ＮＡＣＫチャネルを使用した移動局の２回目送信（１回目再送）が行われるＨＡＲＱフレーム番号が偶数のＨＡＲＱフレームでは、新たな移動局の１回目送信（初回送信）時の上り回線データに対する応答信号は、ＣＣＥ番号がより大きいＣＣＥに関連付けられたチャネル番号がより大きいＡＣＫ／ＮＡＣＫチャネルが使用される。このため、ＨＡＲＱフレーム番号が偶数のＨＡＲＱフレームでは、基地局が新たな移動局への上り回線割当用のＰＤＣＣＨを割り当てる際に、２回目送信（１回目再送）のＡＣＫ／ＮＡＣＫチャネルとの衝突を回避するためのＣＣＥの使用制限がより小さくなる。よって、本実施の形態によれば、基地局でのＣＣＥ使用効率が向上する。なお、ＨＡＲＱフレーム番号が奇数のＨＡＲＱフレームでも同様である。【０１０２】
なお、３回目送信（２回目再送）が必要である場合、３回目送信（２回目再送）の応答信号が割り当てられたＡＣＫ／ＮＡＣＫチャネルと新たな移動局の１回目送信（初回送信）の応答信号が割り当てられるＡＣＫ／ＮＡＣＫチャネルとの衝突回避のために、新たな移動局に対するＣＣＥの使用制限が生じる。しかし、３回目送信以降（２回目再送以降）が必要になる確率は小さく、システム全体に与える影響は少ない。【０１０３】
また、本実施の形態において、複数の上り回線割当用のＰＤＣＣＨによって使用されるＣＣＥ数が７個以上の場合には、ＣＣＥ番号が７以上のＣＣＥで通知された移動局の２回目送信（１回目再送）時の上り回線データに対する応答信号が割り当てられたＡＣＫ／ＮＡＣＫチャネルのチャネル番号は６以下となる。このため、新たな移動局への１回目送信（初回送信）時の上り回線データに対する応答信号が割り当てられるＡＣＫ／ＮＡＣＫチャネルと衝突する可能性がある。よって、そのＡＣＫ／ＮＡＣＫチャネルでの衝突を回避するために、新たな移動局に対するＣＣＥの使用制限が生じる。しかし、複数の上り回線割当用のＰＤＣＣＨによって使用されるＣＣＥ数が７個以上必要となる場合、つまり、ＣＣＥ総数の半数以上が必要となる場合は稀であり、システム全体に与える影響は少ない。【０１０４】
以上、本発明の各実施の形態について説明した。【０１０５】
なお、上記実施の形態では上り回線データの応答信号を伝送する場合について説明したが、本発明を下り回線データの応答信号に適用することもできる。例えば、移動局が上記基地局１００と同様の処理を行うことにより、本発明を下り回線データの応答信号に適用することができる。ただし、下り回線リソースの割当は、基地局が行う。すなわち、移動局では、上記基地局１００におけるＰＤＣＣＨ割当部１０１と同様の処理を行わない。よって、移動局は下り回線データの割当要求用上り制御チャネルで使用されるＣＣＥに関連付けられたＡＣＫ／ＮＡＣＫチャネルを用いて応答信号を送信する。あるいは、移動局は下り回線データの割当通知用下り制御チャネルで使用されるＣＣＥに関連付けられたＡＣＫ／ＮＡＣＫチャネルを用いて応答信号を送信する。【０１０６】
また、上記実施の形態の説明で用いたＰＤＣＣＨは、ＳＣＣＨ（Shared Control Channel）、L1/L2 Control Channel、UL grantチャネル、およびＣＣＣＨ（Common Control Channel）と称されることもある。また、ＡＣＫ／ＮＡＣＫチャネルは、ＰＨＩＣＨ（Physical Hybrid ARQ Indicator Channel）およびＨＩＣＨ（Hybrid ARQ Indicator Channel）と称されることもある。【０１０７】
また、移動局はUE、基地局はNode Bと称されることもある。【０１０８】
また、誤り検出の方法はＣＲＣ判定に限られない。【０１０９】
また、上記実施の形態では、本発明をハードウェアで構成する場合を例にとって説明したが、本発明はソフトウェアで実現することも可能である。【０１１０】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１１１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。【０１１２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１１３】
２００７年８月１３日出願の特願２００７−２１１１０３および２００７年１１月１日出願の特願２００７−２８５６０１の日本出願に含まれる明細書、図面および要約書の開示内容は、すべて本願に援用される。
【産業上の利用可能性】
【０１１４】
本発明は、移動体通信システム等に適用することができる。
【図１】
2009022465.tif 000003
【図２】
2009022465.tif 000004
【図３】
2009022465.tif 000005
【図４】
2009022465.tif 000006
【図５】
2009022465.tif 000007
【図６】
2009022465.tif 000008
【図７】
2009022465.tif 000009
【図８】
2009022465.tif 000010
【図９】
2009022465.tif 000011
【図１０】
2009022465.tif 000012
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
上り回線データのリソース割当情報を１つまたは複数のＣＣＥで構成される第１制御チャネルに割り当てる第１割当手段と、
前記上り回線データに対する応答信号を、前記上り回線データの初回送信時または２回目送信時において、前記複数のＣＣＥのうちＣＣＥ番号が最も小さいＣＣＥ以外のＣＣＥに関連付けられた第２制御チャネルに割り当てる第２割当手段と、
を具備する無線通信基地局装置。
【請求項２】
前記第２割当手段は、前記第１制御チャネルが複数のＣＣＥで構成される場合、前記応答信号を、前記複数のＣＣＥのうちＣＣＥ番号が最も大きいＣＣＥに関連付けられた第２制御チャネルに割り当てる、
請求項１記載の無線通信基地局装置。
【請求項３】
前記第２割当手段は、前記第１制御チャネルが複数のＣＣＥで構成される場合、前記応答信号を、前記複数のＣＣＥのうち前記ＣＣＥ番号が最も小さいＣＣＥおよび前記ＣＣＥ番号が最も大きいＣＣＥ以外のいずれかのＣＣＥに関連付けられた第２制御チャネルに割り当てる、
請求項１記載の無線通信基地局装置。
【請求項４】
前記第２割当手段は、前記応答信号を、初回送信時に使用した第２制御チャネルから送信回数の昇順にシフトした第２制御チャネルに割り当てる、
請求項１記載の無線通信基地局装置。
【請求項５】
第１制御チャネルに割り当てられたリソース割当情報に従って割り当てられた上り回線データに対する応答信号を、前記上り回線データの初回送信時または２回目送信時において、前記複数のＣＣＥのうちＣＣＥ番号が最も小さいＣＣＥ以外のＣＣＥに関連付けられた第２制御チャネルに割り当てる、
チャネル割当方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置およびチャネル割当方法に関する。
【背景技術】
【０００２】
移動体通信では、上り回線で無線通信移動局装置（以下、単に移動局という）から無線通信基地局装置（以下、単に基地局という）へ伝送される上り回線データに対してＡＲＱ（Automatic Repeat Request）が適用され、上り回線データの誤り検出結果を示す応答信号が下り回線で移動局へフィードバックされる。基地局は上り回線データに対しＣＲＣ（Cyclic Redundancy Check）判定を行って、ＣＲＣ＝ＯＫ（誤り無し）であればＡＣＫ（Acknowledgment）信号を、ＣＲＣ＝ＮＧ（誤り有り）であればＮＡＣＫ（Negative Acknowledgment）信号を応答信号として移動局へフィードバックする。
【０００３】
ここで、上り回線データに同期ＨＡＲＱ（Hybrid ARQ）を適用することが検討されている。同期ＨＡＲＱでは、基地局は上り回線データの受信後、所定時間経過後に応答信号を移動局へフィードバックし、移動局は、基地局からＮＡＣＫ信号がフィードバックされた場合には、ＮＡＣＫ信号の受信後、所定時間経過後に上り回線データを基地局へ再送する。
【０００４】
また、基地局は上り回線データのリソース割当結果を通知するための制御情報を移動局へ送信する。この制御情報は、例えばＰＤＣＣＨ（Physical Downlink Control Channel）等の下り回線制御チャネルを用いて移動局へ送信される。ＰＤＣＣＨは、ＣＣＥ（Control Channel Element）と呼ばれる物理リソース単位で構成され、各ＰＤＣＣＨは１つまたは複数のＣＣＥを占有する。基地局は、制御情報を通知するために必要なＣＣＥ数に従って、ＰＤＣＣＨを構成し、各ＰＤＣＣＨが占有するＣＣＥに対応する物理リソースに制御情報を割り当てて送信する。
【０００５】
一方、同期ＨＡＲＱにおいて、下り回線の通信リソースを効率良く使用するために、上り回線リソースを各移動局に割り当てるためのＰＤＣＣＨを構成する各ＣＣＥに、下り回線で応答信号を伝送するためのＡＣＫ／ＮＡＣＫチャネルを関連付けることが検討されている（例えば、非特許文献１参照）。これにより、移動局は、ＡＣＫ／ＮＡＣＫチャネルの割当情報を別途通知されなくても、基地局からのＰＤＣＣＨに従って自局宛てのＡＣＫ／ＮＡＣＫチャネルを判断することができる。なお、従来技術では、ＰＤＣＣＨが複数のＣＣＥで構成される場合、ＣＣＥ番号が最も小さいＣＣＥに関連付けられたＡＣＫ／ＮＡＣＫチャネルを使用する。
【０００６】
また、上り回線データに同期ＨＡＲＱを適用する場合、データの送信タイミングが予め設定されているため、２回目送信以降（再送）の上り回線データを基地局へ送信する移動局に対しては、２回目送信以降（再送）の上り回線データのリソース割当のためのＰＤＣＣＨが送信されない。また、２回目送信以降（再送）の上り回線データに対する応答信号は、１回目送信（初回送信）時に使用したＡＣＫ／ＮＡＣＫチャネルと同一のＡＣＫ／ＮＡＣＫチャネルを用いて送信される。
【非特許文献１】3GPP RAN WG1 Meeting document, R1-073106, “LTE downlink ACK Channel mapping linked to CCE”, Samsung, June 2007
【発明の開示】
【発明が解決しようとする課題】
【０００７】
上記従来技術では、基地局は、新たな移動局に対する制御情報を割り当てたＰＤＣＣＨ
を送信する際、そのＰＤＣＣＨで割り当てられた上り回線データに対する応答信号と、２回目送信以降（再送）の上り回線データに対する応答信号とが衝突しないようにＰＤＣＣＨを構成する。また、基地局では、２回目送信以降（再送）の上り回線データに対する応答信号が割り当てられるＡＣＫ／ＮＡＣＫチャネルに対応するＣＣＥと、そのＣＣＥよりＣＣＥ番号が小さいＣＣＥを含む複数のＣＣＥとでＰＤＣＣＨを構成することにより、２回目送信以降（再送）の上り回線データに対する応答信号が割り当てられるＡＣＫ／ＮＡＣＫチャネルに対応するＣＣＥを使用することができる。
【０００８】
例えば、１２個のＣＣＥ＃１〜＃１２を用いる場合、ＣＣＥ＃５で構成されるＰＤＣＣＨ＃５で割り当てられた上り回線データに対する応答信号は、ＣＣＥ＃５に関連付けられたＡＣＫ／ＮＡＣＫチャネルＣＨ＃５に割り当てられる。ここで、ＰＤＣＣＨ＃５で割り当てられた上り回線データの２回目送信（１回目再送）が必要である場合、基地局では、新たな移動局に対する制御情報を割り当てるＰＤＣＣＨとして、ＣＣＥ＃４およびＣＣＥ＃５で構成されるＰＤＣＣＨ＃４を使用する。これにより、ＰＤＣＣＨ＃４で割り当てられた上り回線データに対する応答信号は、ＣＣＥ＃４に関連付けられたＡＣＫ／ＮＡＣＫチャネルＣＨ＃４に割り当てられる。このため、ＰＤＣＣＨ＃４でＣＣＥ＃５を使用してもＰＤＣＣＨ＃５で割り当てられた上り回線データに対する応答信号が割り当てられたＡＣＫ／ＮＡＣＫチャネルＣＨ＃５での衝突は発生しない。
【０００９】
ここで、ＣＣＥ番号が最も小さいＣＣＥ＃１でＰＤＣＣＨ＃１を構成する場合、そのＰＤＣＣＨで割り当てられた上り回線データに対する応答信号は、ＣＣＥ＃１に関連付けられたＡＣＫ／ＮＡＣＫチャネルＣＨ＃１に割り当てられる。また、ＰＤＣＣＨで割り当てられた上り回線データの２回目送信（１回目再送）が必要である場合、その上り回線データに対する応答信号も、ＡＣＫ／ＮＡＣＫチャネルＣＨ＃１に割り当てられる。このとき、基地局では、新たな移動局に対する制御情報を割り当てるＰＤＣＣＨにＣＣＥ＃１が含まれる場合、ＡＣＫ／ＮＡＣＫチャネルＣＨ＃１で衝突が生じてしまうため、ＣＣＥ＃１を使用することができない。つまり、ＡＣＫ／ＮＡＣＫチャネルＣＨ＃１が２回目送信以降（再送）の上り回線データを送信する移動局に割り当てられている間は、ＣＣＥ＃１を新たに使用できない状態が発生してしまい通信リソースが無駄になる。これにより、データ伝送効率が低減してしまう。
【００１０】
本発明の目的は、データ伝送効率を向上させることができる基地局およびチャネル割当方法を提供することである。
【課題を解決するための手段】
【００１１】
本発明の基地局は、上り回線データのリソース割当情報を１つまたは複数のＣＣＥで構成される第１制御チャネルに割り当てる第１割当手段と、前記上り回線データに対する応答信号を、前記上り回線データの初回送信時または２回目送信時において、前記複数のＣＣＥのうちＣＣＥ番号が最も小さいＣＣＥ以外のＣＣＥに関連付けられた第２制御チャネルに割り当てる第２割当手段と、を具備する構成を採る。
【発明の効果】
【００１２】
本発明によれば、データ伝送効率を向上させることができる。
【発明を実施するための最良の形態】
【００１３】
以下、本発明の実施の形態について、添付図面を参照して詳細に説明する。
【００１４】
（実施の形態１）
本実施の形態に係る基地局１００の構成を図１に示す。
【００１５】
なお、説明が煩雑になることを避けるために、図１では、本発明と密接に関連する上り回線割当情報の下り回線での送信、上り回線データに対する応答信号の下り回線での送信および、上り回線データの受信に係わる構成部を示し、下り回線データの送信に係わる構成部の図示および説明を省略する。
【００１６】
図１に示す基地局１００において、ＰＤＣＣＨ割当部１０１には、最大Ｋ個の移動局＃１〜＃Ｋに対して、どの上り回線リソースをどの移動局に割り当てたかを示す上り回線割当情報＃１〜＃Ｋが入力される。ＰＤＣＣＨ割当部１０１は、入力される上り回線割当情報＃１〜＃ＫをＰＤＣＣＨ＃１〜＃Ｋのいずれかに割り当てる。なお、各ＰＤＣＣＨは、ＣＣＥ＃１〜＃Ｍのうち１つまたは複数のＣＣＥで構成される。そして、ＰＤＣＣＨ割当部１０１は、上り回線割当情報＃１〜＃Ｋを割り当てたＰＤＣＣＨそれぞれに対応する符号化・変調部１０２−１〜１０２−Ｋにそれぞれ出力する。また、ＰＤＣＣＨ割当部１０１は、どの移動局の上り回線割当情報をどのＣＣＥに割り当てたかを示すＣＣＥ割当情報をＡＣＫ／ＮＡＣＫチャネル割当部１０５に出力する。
【００１７】
符号化・変調部１０２−１〜１０２−Ｋは、ＰＤＣＣＨ＃１〜＃Ｋに対応して備えられる。符号化・変調部１０２−１〜１０２−Ｋにおいて、各符号化部１１は、入力される各上り回線割当情報を符号化して各変調部１２に出力する。そして、各変調部１２は、各符号化部１１から入力される符号化後の各上り回線割当情報を変調して上り回線割当情報シンボルを生成し、配置部１０６に出力する。
【００１８】
変調部１０３は、誤り検出部１１２から入力される各移動局の応答信号を変調する。そして、変調部１０３は、変調後の応答信号をＡＣＫ／ＮＡＣＫチャネル割当部１０５に出力する。
【００１９】
送信判別部１０４は、誤り検出部１１２から入力される各移動局の応答信号に基づいて各移動局の上り回線データの送信回数をカウントし、各移動局の上り回線データが１回目送信（初回送信）であるか２回目送信以降（再送）であるかを判別する。そして、送信判別部１０４は、初回送信または再送を示す判別結果をＡＣＫ／ＮＡＣＫチャネル割当部１０５に出力する。
【００２０】
ＡＣＫ／ＮＡＣＫチャネル割当部１０５は、変調部１０３から入力される応答信号を、ＰＤＣＣＨ割当部１０１から入力されるＣＣＥ割当情報と送信判別部１０４から入力される判別結果とに基づくＡＣＫ／ＮＡＣＫチャネルに割り当てる。具体的には、ＡＣＫ／ＮＡＣＫチャネル割当部１０５は、送信判別部１０４からの判別結果が初回送信である場合には、各移動局に対する応答信号を、各移動局の上り回線割当情報が割り当てられたＰＤＣＣＨを構成するＣＣＥに関連付けられたＡＣＫ／ＮＡＣＫチャネルに割り当てる。ここで、ＡＣＫ／ＮＡＣＫチャネル割当部１０５は、ＰＤＣＣＨを構成するＣＣＥが複数の場合、ＰＤＣＣＨを構成する複数のＣＣＥのうちＣＣＥ番号が最も大きいＣＣＥに関連付けられたＡＣＫ／ＮＡＣＫチャネルに応答信号を割り当てる。一方、ＡＣＫ／ＮＡＣＫチャネル割当部１０５は、送信判別部１０４からの判別結果が再送である場合には、各移動局に対する応答信号を、１回目送信（初回送信）時に使用したＡＣＫ／ＮＡＣＫチャネルと同一のＡＣＫ／ＮＡＣＫチャネルに割り当てる。そして、ＡＣＫ／ＮＡＣＫチャネル割当部１０５は、ＡＣＫ／ＮＡＣＫチャネルに割り当てられた応答信号を配置部１０６に出力する。ＡＣＫ／ＮＡＣＫチャネル割当部１０５におけるＡＣＫ／ＮＡＣＫチャネル割り当て処理の詳細については後述する。
【００２１】
配置部１０６は、上り回線割当情報シンボルが割り当てられたＰＤＣＣＨをＰＤＣＣＨに確保された下り回線リソースに配置し、応答信号が割り当てられたＡＣＫ／ＮＡＣＫチャネルをＡＣＫ／ＮＡＣＫチャネルに確保された下り回線リソースに配置する。そして、配置部１０６は、各チャネルを配置した後の信号を無線送信部１０７に出力する。
【００２２】
無線送信部１０７は、配置部１０６から入力される信号に対しＤ／Ａ変換、増幅およびアップコンバート等の送信処理を行ってアンテナ１０８から各移動局へ送信する。
【００２３】
一方、無線受信部１０９は、各移動局から送信された上り回線データをアンテナ１０８を介して受信し、この上り回線データに対しダウンコンバート、Ａ／Ｄ変換等の受信処理を行う。
【００２４】
復調部１１０は、上り回線データを復調し、復調後の上り回線データを復号部１１１に出力する。
【００２５】
復号部１１１は、復調後の上り回線データを復号し、復号後の上り回線データを誤り検出部１１２に出力する。
【００２６】
誤り検出部１１２は、復号後の上り回線データに対してＣＲＣ判定を用いた誤り検出を行って、ＣＲＣ＝ＯＫ（誤り無し）の場合はＡＣＫ信号を、ＣＲＣ＝ＮＧ（誤り有り）の場合はＮＡＣＫ信号を応答信号として生成し、生成した応答信号を変調部１０３および送信判別部１０４に出力する。また、誤り検出部１１２は、ＣＲＣ＝ＯＫ（誤り無し）の場合、復号後の上り回線データを受信データとして出力する。
【００２７】
一方、各移動局では、基地局から自局宛てのＰＤＣＣＨを受信した場合、上り回線割当情報およびＭＣＳ（Modulation and Coding Scheme）に従って送信データを基地局に送信する。また、各移動局は、自局宛てに割り当てられたＰＤＣＣＨを構成するＣＣＥに関連付けられたＡＣＫ／ＮＡＣＫチャネルに割り当てられた応答信号を受信する。ここで、各移動局では、どのＡＣＫ／ＮＡＣＫチャネルがどの下り回線リソースに対応しているかを上位レイヤで指示されるか、予め規定される。そして、各移動局は、応答信号がＡＣＫ信号である場合、次の送信データを送信するために、基地局から自局宛てのＰＤＣＣＨが送信されるまで待機する。一方、各移動局は、応答信号がＮＡＣＫ信号である場合、送信データを再送する。
【００２８】
次に、ＡＣＫ／ＮＡＣＫチャネル割当部１０５におけるＡＣＫ／ＮＡＣＫチャネル割り当て処理の詳細について説明する。
【００２９】
以下の説明では、図２上段に示すように、１２個のＣＣＥ＃１〜＃１２を用いる。また、上り回線割当用のＰＤＣＣＨはＣＣＥ＃１からＣＣＥ＃８に昇順で使用され、下り回線割当用のＰＤＣＣＨはＣＣＥ＃１２からＣＣＥ＃９に降順で使用される。また、上り回線割当用のＰＤＣＣＨおよび下り回線割当用のＰＤＣＣＨは、１２個のＣＣＥのうち、１個のＣＣＥまたはＣＣＥ番号が隣接する複数のＣＣＥで構成される。例えば、図２上段に示すように、ＰＤＣＣＨ＃１はＣＣＥ＃１の１つのＣＣＥで構成され、ＰＤＣＣＨ＃２はＣＣＥ＃２およびＣＣＥ＃３の２つのＣＣＥで構成され、ＰＤＣＣＨ＃４はＣＣＥ＃４およびＣＣＥ＃５の２つのＣＣＥで構成され、ＰＤＣＣＨ＃６はＣＣＥ＃６の１つのＣＣＥで構成され、ＰＤＣＣＨ＃７はＣＣＥ＃７およびＣＣＥ＃８の２つのＣＣＥで構成される。なお、より低いＭＣＳレベルに対応するＰＤＣＣＨほど、より多くのＣＣＥで構成される。
【００３０】
また、基地局では、図２下段に示すように、１２個のＣＣＥ＃１〜＃１２にそれぞれ対応する最大１２個のＡＣＫ／ＮＡＣＫチャネルＣＨ＃１〜＃１２を配置する下り回線リソースを予め確保する。例えば、図２下段に示すように、下り回線リソース１〜１２には、ＣＣＥ＃１〜＃１２にそれぞれ関連付けられたＡＣＫ／ＮＡＣＫチャネルＣＨ＃１〜＃１２が配置される。
【００３１】
図２に示すように、ＰＤＣＣＨ＃１を構成するＣＣＥはＣＣＥ＃１であるので、ＡＣＫ／ＮＡＣＫチャネル割当部１０５は、１回目送信（初回送信）時には、ＰＤＣＣＨ＃１で割り当てられた上り回線データに対する応答信号を、ＣＣＥ＃１に関連付けられたＡＣＫ／ＮＡＣＫチャネルＣＨ＃１に割り当てる。また、図２に示すように、ＰＤＣＣＨ＃２を構成するＣＣＥはＣＣＥ＃２およびＣＣＥ＃３であり、２つのＣＣＥのうち、ＣＣＥ番号が最も大きいＣＣＥはＣＣＥ＃３である。そこで、ＡＣＫ／ＮＡＣＫチャネル割当部１０５は、１回目送信（初回送信）時には、ＰＤＣＣＨ＃２で割り当てられた上り回線データに対する応答信号を、ＣＣＥ＃３に関連付けられたＡＣＫ／ＮＡＣＫチャネルＣＨ＃３に割り当てる。ＰＤＣＣＨ＃４，＃６，＃７についても同様である。
【００３２】
ここで、上り回線データに誤りが有り、上り回線データの２回目送信（１回目再送）が必要である場合、基地局では、２回目送信（１回目再送）時の上り回線データに対する応答信号を、１回目送信（初回送信）時に割り当てたＡＣＫ／ＮＡＣＫチャネルと同一のＡＣＫ／ＮＡＣＫチャネルに割り当てる。例えば、１回目送信（初回送信）時の上り回線データに対する応答信号が、図２に示すＡＣＫ／ＮＡＣＫチャネルＣＨ＃１に割り当てられた移動局に対しては、２回目送信（１回目再送）時の上り回線データに対する応答信号もＡＣＫ／ＮＡＣＫチャネルＣＨ＃１に割り当てる。
【００３３】
また、基地局は、２回目送信（１回目再送）の上り回線データに対する応答信号が割り当てられるＡＣＫ／ＮＡＣＫチャネルとの衝突回避を考慮して、新たな移動局に対するＰＤＣＣＨを割り当てる。
【００３４】
例えば、図２に示すように、１回目送信（初回送信）時にＡＣＫ／ＮＡＣＫチャネルＣＨ＃１に応答信号が割り当てられた移動局で２回目送信（１回目再送）が必要である場合には、基地局は、２回目送信（１回目再送）時にも使用されるＡＣＫ／ＮＡＣＫチャネルＣＨ＃１以外のＡＣＫ／ＮＡＣＫチャネルに、新たな上り回線データに対する応答信号が割り当てられるようにＰＤＣＣＨを構成する。ここで、ＰＤＣＣＨを構成するＣＣＥのうちのＣＣＥ番号が最大であるＣＣＥに関連付けられたＡＣＫ／ＮＡＣＫチャネルに応答信
号が割り当てられるため、ＣＣＥ＃１が単独で構成されるＰＤＣＣＨ＃１以外を使用することができる。つまり、ＣＣＥ＃１を含む複数のＣＣＥでＰＤＣＣＨを構成すればよい。これにより、そのＰＤＣＣＨで新たに割り当てられた上り回線データに対する応答信号は、ＣＣＥ＃１以外のＣＣＥに関連付けられたＡＣＫ／ＮＡＣＫチャネルに割り当てられる。すなわち、新たな上り回線データに対する応答信号がＣＣＥ＃１に関連付けられたＡＣＫ／ＮＡＣＫチャネルＣＨ＃１に割り当てられることは無い。よって、新たな移動局に対して、ＣＣＥ＃１を含む複数のＣＣＥでＰＤＣＣＨを構成する場合でも、２回目送信（１回目再送）時にも使用されるＡＣＫ／ＮＡＣＫチャネルＣＨ＃１での衝突を回避できる。
【００３５】
また、図２に示すＣＣＥ＃８は上り回線割当用のＰＤＣＣＨに使用されるＣＣＥのうちＣＣＥ番号が最も大きい。よって、ＣＣＥ＃８単独で構成されるＰＤＣＣＨ＃８のみでなく、ＣＣＥ＃８を含む複数のＣＣＥで構成されるＰＤＣＣＨで割り当てられた上り回線データに対する応答信号は、いずれもＡＣＫ／ＮＡＣＫチャネルＣＨ＃８に割り当てられる。よって、ＡＣＫ／ＮＡＣＫチャネルＣＨ＃８が２回目送信（１回目再送）時に使用される場合、ＡＣＫ／ＮＡＣＫチャネルＣＨ＃８に対応するＣＣＥ＃８を含むいずれのＰＤＣＣＨも構成することができない。しかし、図２に示すように、ＣＣＥ＃８は、下り回線割当用のＰＤＣＣＨとして使用することもできるため、ＣＣＥ＃８と隣接するＣＣＥ＃９とで構成される下り回線割当用のＰＤＣＣＨとして使用することで、通信リソースが無駄になることを防ぐことができる。
【００３６】
また、サブフレーム毎にＰＤＣＣＨが送信される移動局数が異なる場合、ＰＤＣＣＨを構成するＣＣＥ数を可変にすることが考えられる。この場合、ＰＤＣＣＨが割り当てられる移動局数が最大であるときしかＣＣＥ番号の最も大きいＣＣＥは使用されない。よって、図２に示すように、上り回線割当用のＰＤＣＣＨに使用されるＣＣＥ＃１〜＃８のうち、ＣＣＥ番号が最も大きいＣＣＥ＃８に関連付けられたＡＣＫ／ＮＡＣＫチャネルＣＨ＃８に応答信号が割り当てられる確率は小さい。よって、ＡＣＫ／ＮＡＣＫチャネルＣＨ＃８が２回目送信（１回目再送）時に使用される確率も小さくなるため、ＣＣＥ＃８を上り回線割当用ＰＤＣＣＨに使用できなくなる確率も小さく、システム全体に及ぼす影響は少ない。
【００３７】
このように、本実施の形態によれば、ＰＤＣＣＨが複数のＣＣＥで構成される場合、複数のＣＣＥのうちＣＣＥ番号が最も大きいＣＣＥに関連付けられたＡＣＫ／ＮＡＣＫチャネルに応答信号を割り当てる。これにより、チャネル番号が最も小さいＡＣＫ／ＮＡＣＫチャネル（図２に示すＡＣＫ／ＮＡＣＫチャネルＣＨ＃１）を再送のために使用し続ける場合でも、そのＡＣＫ／ＮＡＣＫチャネルに対応するＣＣＥと隣接する他のＣＣＥとでＰＤＣＣＨを構成することで、ＣＣＥ番号が最も小さいＣＣＥが使用できなくなる状態を低減することができ、通信リソースの無駄を防ぐことができる。よって、本実施の形態によれば、データ伝送効率を向上することができる。
【００３８】
また、本実施の形態によれば、ＣＣＥ番号が最も小さいＣＣＥをすべてのサブフレームで使用することができるため、サブフレーム毎にＣＣＥの送信をＯＮ／ＯＦＦすることで生じる他セルに与える干渉電力の増減を抑えることができる。これにより、例えば、他セルにおける送信電力制御および適応ＭＣＳ制御の精度を向上することができ、システムスループットを向上することができる。
【００３９】
なお、本実施の形態では、上り回線割当用のＰＤＣＣＨがＣＣＥ番号の最も小さいＣＣＥから昇順で使用され、下り回線割当用のＰＤＣＣＨがＣＣＥ番号の最も大きいＣＣＥから降順で使用される場合について説明した。しかし、本発明は、上り回線割当用のＰＤＣＣＨがＣＣＥ番号の最も大きいＣＣＥから降順で使用され、下り回線割当用のＰＤＣＣＨがＣＣＥ番号の最も小さいＣＣＥから昇順で使用される場合についても適用することがで
きる。このとき、ＰＤＣＣＨを構成するＣＣＥが複数の場合、ＰＤＣＣＨを構成する複数のＣＣＥのうちＣＣＥ番号が最も小さいＣＣＥに関連付けられたＡＣＫ／ＮＡＣＫチャネルに応答信号を割り当てる。
【００４０】
また、本実施の形態では、２回目送信以降（再送）の上り回線データに対する応答信号を、１回目送信（初回送信）時に割り当てたＡＣＫ／ＮＡＣＫチャネルと同一のＡＣＫ／ＮＡＣＫチャネルに割り当てる場合について説明した。しかし、本発明は、２回目送信以降（再送）の上り回線データに対する応答信号を、１回目送信（初回送信）時に使用されたＰＤＣＣＨを構成するＣＣＥに関連付けられたＡＣＫ／ＮＡＣＫチャネルに割り当ててもよい。これにより、例えば、ＣＣＥとＡＣＫ／ＮＡＣＫチャネルとの関連付けが時間の経過と伴に変化する場合でも、基地局では、２回目送信以降（再送）の上り回線データに対する応答信号が割り当てられるＡＣＫ／ＮＡＣＫチャネルとそのＡＣＫ／ＮＡＣＫチャネルに関連付けられたＣＣＥとを把握することができる。このため、基地局は、２回目送信以降（再送）の上り回線データに対する応答信号が割り当てられるＡＣＫ／ＮＡＣＫチャネルと衝突しないＣＣＥを使用して、新たな移動局に対するＰＤＣＣＨを割り当てることができる。
【００４１】
また、本実施の形態では、１回目送信（初回送信）時の上り回線データに対してのみに、上り回線割当情報をＰＤＣＣＨに割り当てて移動局に送信したが、２回目送信以降（再送）の上り回線データに対しても上り回線割当情報をＰＤＣＣＨに割り当てて移動局に送信することが考えられる。この場合、本実施の形態で説明した１回目送信（初回送信）時の上り回線データを、ＰＤＣＣＨで割り当てられた上り回線データとして置き換えて適用し、本実施の形態で説明した２回目以降（再送）の上り回線データを、ＰＤＣＣＨで割り当てられなかった上り回線データとして置き換えて適用すればよい。
【００４２】
また、本実施の形態では、１個のＣＣＥまたは２個のＣＣＥで構成されるＰＤＣＣＨの場合について説明したが、ＰＤＣＣＨを３個以上のＣＣＥで構成してもよい。この場合、ＰＤＣＣＨで割り当てられた上り回線データに対する応答信号を、ＰＤＣＣＨを構成するＣＣＥのうち、ＣＣＥ番号が最も小さいＣＣＥおよび最も大きいＣＣＥ以外のＣＣＥに関連付けられたＡＣＫ／ＮＡＣＫチャネルに割り当ててもよい。これにより、ＣＣＥ番号が最も小さいＣＣＥおよび最も大きいＣＣＥに関連付けられたＡＣＫ／ＮＡＣＫチャネルが使用されている間、ＣＣＥ番号が最も小さいＣＣＥおよび最も大きいＣＣＥが使用できなくなることを防ぐことができる。
【００４３】
（実施の形態２）
本実施の形態では、２回目送信以降（再送）の上り回線データに対する応答信号を、１回目送信（初回送信）時に割り当てたＡＣＫ／ＮＡＣＫチャネルから再送回数だけ昇順にシフトしたＡＣＫ／ＮＡＣＫチャネルを使用する。
【００４４】
本実施の形態に係るＡＣＫ／ＮＡＣＫチャネル割当部１０５（図１）は、送信判別部１０４からの判別結果が初回送信である場合には、変調部１０３から入力される応答信号を、ＰＤＣＣＨ割当部１０１から入力されるＣＣＥ割当情報に基づくＡＣＫ／ＮＡＣＫチャネルに割り当てる。また、ＡＣＫ／ＮＡＣＫチャネル割当部１０５は、ＰＤＣＣＨを構成するＣＣＥが複数の場合、ＰＤＣＣＨを構成する複数のＣＣＥのうちＣＣＥ番号が最も小さいＣＣＥに関連付けられたＡＣＫ／ＮＡＣＫチャネルに応答信号を割り当てる。一方、ＡＣＫ／ＮＡＣＫチャネル割当部１０５は、送信判別部１０４からの判別結果が再送である場合には、応答信号を、１回目送信（初回送信）時に割り当てたＡＣＫ／ＮＡＣＫチャネルから再送回数だけ昇順にシフトさせたＡＣＫ／ＮＡＣＫチャネルに割り当てる。
【００４５】
以下の説明では、図３上段に示すように、実施の形態１と同様、１２個のＣＣＥ＃１〜
＃１２を用いる。また、実施の形態１と同様、上り回線割当用のＰＤＣＣＨはＣＣＥ＃１からＣＣＥ＃８に昇順で使用され、下り回線割当用のＰＤＣＣＨはＣＣＥ＃１２からＣＣＥ＃９に降順で使用される。ここでは、図３上段に示すように、ＣＣＥ＃１〜＃８により上り回線割当用ＰＤＣＣＨ＃１、＃３、＃４、＃６および＃７が構成される。
【００４６】
また、基地局では、図３下段に示すように、実施の形態１と同様、１２個のＣＣＥ＃１〜＃１２にそれぞれ対応する最大１２個のＡＣＫ／ＮＡＣＫチャネルＣＨ＃１〜＃１２を配置する下り回線リソース１〜１２を予め確保する。
【００４７】
図３に示すように、ＰＤＣＣＨ＃１を構成するＣＣＥはＣＣＥ＃１およびＣＣＥ＃２であり、２つのＣＣＥのうち、ＣＣＥ番号が最も小さいＣＣＥはＣＣＥ＃１である。そこで、ＡＣＫ／ＮＡＣＫチャネル割当部１０５は、１回目送信（初回送信）時には、ＰＤＣＣＨ＃１で割り当てられた上り回線データに対する応答信号を、ＣＣＥ＃１に関連付けられたＡＣＫ／ＮＡＣＫチャネルＣＨ＃１に割り当てる。また、図３に示すように、ＰＤＣＣＨ＃３を構成するＣＣＥはＣＣＥ＃３であるので、ＡＣＫ／ＮＡＣＫチャネル割当部１０５は、１回目送信（初回送信）時には、ＰＤＣＣＨ＃３で割り当てられた上り回線データに対する応答信号を、ＣＣＥ＃３に関連付けられたＡＣＫ／ＮＡＣＫチャネルＣＨ＃３に割り当てる。ＰＤＣＣＨ＃４，＃６，＃７についても同様である。
【００４８】
次いで、上り回線データに誤りが有り、上り回線データの２回目送信（１回目再送）が必要である場合、基地局では、２回目送信（１回目再送）時の上り回線データに対する応答信号を、１回目送信（初回送信）時に割り当てたＡＣＫ／ＮＡＣＫチャネルから１つ昇順にシフトしたＡＣＫ／ＮＡＣＫチャネルに割り当てる。例えば、１回目送信（初回送信）時の上り回線データに対する応答信号が、ＡＣＫ／ＮＡＣＫチャネルＣＨ＃１に割り当てられた移動局に対しては、２回目送信（１回目再送）時の上り回線データに対する応答信号を、図３に示すように、ＡＣＫ／ＮＡＣＫチャネルＣＨ＃１から１つ昇順にシフトしたＡＣＫ／ＮＡＣＫチャネルＣＨ＃２に割り当てる。
【００４９】
また、基地局では、実施の形態１と同様、２回目送信（１回目再送）の上り回線データに対する応答信号が割り当てられるＡＣＫ／ＮＡＣＫチャネルとの衝突回避を考慮して、新たな移動局に対するＰＤＣＣＨを割り当てる。
【００５０】
例えば、図３に示すように、１回目送信（初回送信）時にＡＣＫ／ＮＡＣＫチャネルＣＨ＃１に応答信号が割り当てられた移動局で２回目送信（１回目再送）が必要である場合には、基地局は、２回目送信（１回目再送）時に使用されるＡＣＫ／ＮＡＣＫチャネルＣＨ＃２以外のＡＣＫ／ＮＡＣＫチャネルに、新たな上り回線データに対する応答信号が割り当てられるようにＰＤＣＣＨを構成する。ここで、ＰＤＣＣＨを構成するＣＣＥのうちのＣＣＥ番号が最小であるＣＣＥに関連付けられたＡＣＫ／ＮＡＣＫチャネルに応答信号が割り当てられるため、ＣＣＥ番号が最小であるＣＣＥがＣＣＥ＃２でなければ、ＣＣＥ＃２を含む複数のＰＤＣＣＨを構成してもよい。これにより、そのＰＤＣＣＨで新たに割り当てられた上り回線データに対する応答信号は、ＣＣＥ＃２以外のＣＣＥに関連付けられたＡＣＫ／ＮＡＣＫチャネルに割り当てられる。すなわち、新たな上り回線データに対する応答信号がＣＣＥ＃２に関連付けられたＡＣＫ／ＮＡＣＫチャネルＣＨ＃２に割り当てられることはない。よって、新たな移動局に対して、ＣＣＥ＃２よりもＣＣＥ番号が小さいＣＣＥ＃１を含むＰＤＣＣＨ＃１を構成する場合でも、２回目送信（１回目再送）時にも使用されるＡＣＫ／ＮＡＣＫチャネルＣＨ＃２での衝突を回避できる。
【００５１】
また、図３に示すＡＣＫ／ＮＡＣＫチャネルＣＨ＃１〜＃１２のうち、チャネル番号が最小であるＡＣＫ／ＮＡＣＫチャネルＣＨ＃１に２回目送信（再送）の上り回線データに対する応答信号が割り当てられることは無い。よって、ＡＣＫ／ＮＡＣＫチャネルＣＨ＃
１には、常に１回目送信（初回送信）の上り回線データに対する応答信号を割り当てることができる。すなわち、基地局では、新たに制御情報を割り当てる移動局の上り回線割当用のＰＤＣＣＨとして、ＡＣＫ／ＮＡＣＫチャネルＣＨ＃１に対応するＣＣＥ＃１を常に使用することができる。
【００５２】
このように、本実施の形態によれば、上り回線データの２回目以降の送信（再送）が必要である場合、その上り回線データに対する応答信号を、１回目送信（初回送信）時に割り当てたＡＣＫ／ＮＡＣＫチャネルから再送回数だけ昇順にシフトしたＡＣＫ／ＮＡＣＫチャネルに割り当てる。これにより、チャネル番号が最も小さいＡＣＫ／ＮＡＣＫチャネル（図３に示すＡＣＫ／ＮＡＣＫチャネルＣＨ＃１）は常に１回目送信（初回送信）時のみに使用されるため、そのＡＣＫ／ＮＡＣＫチャネルに対応するＣＣＥ番号が最も小さいＣＣＥが使用できなくなることを防ぐことができる。よって、本実施の形態によれば、実施の形態１と同様、データ伝送効率を向上することができる。
【００５３】
なお、本実施の形態では、上り回線割当用のＰＤＣＣＨに使用されるＣＣＥのうちＣＣＥ番号が最も大きいＣＣＥ（例えば、図３に示すＣＣＥ＃８）に関連付けられたＡＣＫ／ＮＡＣＫチャネル（例えば、図３に示すＡＣＫ／ＮＡＣＫチャネルＣＨ＃８）において、２回目の送信（１回目再送）が必要である場合、ＣＣＥ番号が最も小さいＣＣＥ（例えば、図３に示すＣＣＥ＃１）に関連付けられたＡＣＫ／ＮＡＣＫチャネル（例えば、図３に示すＡＣＫ／ＮＡＣＫチャネルＣＨ＃１）に巡回シフトしてもよい。なお、ＰＤＣＣＨが割り当てられる移動局数が最大であるときしかＣＣＥ番号の最も大きいＣＣＥは使用されない。よって、上り回線割当用のＰＤＣＣＨに使用されるＣＣＥのうち、ＣＣＥ番号が最も大きいＣＣＥ関連付けられたＡＣＫ／ＮＡＣＫチャネルに応答信号が割り当てられる確率は小さい。よって、ＣＣＥ番号が最も大きいＣＣＥ関連付けられたＡＣＫ／ＮＡＣＫチャネルが２回目送信（１回目再送）時に使用される確率も小さくなるため、ＣＣＥ番号が最も小さいＣＣＥに関連付けられたＡＣＫ／ＮＡＣＫチャネルに巡回シフトする確率も小さく、システム全体に及ぼす影響は少ない。
【００５４】
また、本実施の形態では、２回目の送信（１回目再送）が必要である場合、１回目送信（初回送信）時に割り当てたＡＣＫ／ＮＡＣＫチャネルから１つだけ昇順にシフトしたＡＣＫ／ＮＡＣＫチャネルを使用する場合について説明したが、１回目送信（初回送信）時に割り当てたＡＣＫ／ＮＡＣＫチャネルから２つ以上昇順にシフトしたＡＣＫ／ＮＡＣＫチャネルを使用してもよい。
【００５５】
（実施の形態３）
本実施の形態では、２回目送信以降（再送）の上り回線データに対する応答信号を、１回目送信（初回送信）時に割り当てたＡＣＫ／ＮＡＣＫチャネルのチャネル番号がより小さいほどチャネル番号がより大きいＡＣＫ／ＮＡＣＫチャネルに割り当てる。すなわち、２回目送信以降（再送）の上り回線データに対する応答信号を、１回目送信（初回送信）時に割り当てたＡＣＫ／ＮＡＣＫチャネルのチャネル番号と鏡像関係にあるチャネル番号のＡＣＫ／ＮＡＣＫチャネルに割り当てる。
【００５６】
本実施の形態に係るＡＣＫ／ＮＡＣＫチャネル割当部１０５（図１）は、送信判別部１０４からの判別結果が初回送信である場合には、変調部１０３から入力される応答信号を、ＰＤＣＣＨ割当部１０１から入力されるＣＣＥ割当情報に基づくＡＣＫ／ＮＡＣＫチャネルに割り当てる。また、ＡＣＫ／ＮＡＣＫチャネル割当部１０５は、ＰＤＣＣＨを構成するＣＣＥが複数の場合、実施の形態２と同様、ＰＤＣＣＨを構成する複数のＣＣＥのうちＣＣＥ番号が最も小さいＣＣＥに関連付けられたＡＣＫ／ＮＡＣＫチャネルに応答信号を割り当てる。一方、ＡＣＫ／ＮＡＣＫチャネル割当部１０５は、送信判別部１０４からの判別結果が再送である場合には、応答信号を、１回目送信（初回送信）時に割り当てた
ＡＣＫ／ＮＡＣＫチャネルのチャネル番号がより小さいほどチャネル番号がより大きいＡＣＫ／ＮＡＣＫチャネルに割り当てる。具体的には、ＣＣＥ総数（ＡＣＫ／ＮＡＣＫチャネル数と同数）をＮとし、１回目送信（初回送信）時に割り当てたＡＣＫ／ＮＡＣＫチャネルのチャネル番号を＃ｋとする場合、ＡＣＫ／ＮＡＣＫチャネル割当部１０５は、応答信号を、チャネル番号ＣＨ＃（Ｎ−（ｋ−１））のＡＣＫ／ＮＡＣＫチャネルに割り当てる。つまり、ＡＣＫ／ＮＡＣＫチャネル割当部１０５は、図４に示すように、応答信号を、１回目送信（初回送信）時に割り当てたＡＣＫ／ＮＡＣＫチャネルのチャネル番号と鏡像関係にあるチャネル番号のＡＣＫ／ＮＡＣＫチャネルに割り当てる。
【００５７】
以下の説明では、図５上段に示すように、実施の形態１と同様、１２個（Ｎ＝１２）のＣＣＥ＃１〜＃１２を用いる。また、上り回線割当用のＰＤＣＣＨはＣＣＥ＃１からＣＣＥ＃６に昇順で使用され、下り回線割当用のＰＤＣＣＨはＣＣＥ＃１２からＣＣＥ＃７に降順で使用される。ここでは、図５上段に示すように、ＣＣＥ＃１〜＃６により上り回線割当用ＰＤＣＣＨ＃１、＃３、＃４および＃６が構成される。
【００５８】
また、基地局では、図５中段に示すように、実施の形態１と同様、１２個のＣＣＥ＃１〜＃１２にそれぞれ対応する最大１２個のＡＣＫ／ＮＡＣＫチャネルＣＨ＃１〜＃１２を配置する下り回線リソース１〜１２を予め確保する。
【００５９】
図５中段に示すように、ＡＣＫ／ＮＡＣＫチャネル割当部１０５は、１回目送信（初回送信）時には、実施の形態２と同様にして、ＰＤＣＣＨ＃１，＃３，＃４，＃６で割り当てられた上り回線データに対する応答信号を、ＡＣＫ／ＮＡＣＫチャネルＣＨ＃１，ＣＨ＃３，ＣＨ＃４，ＣＨ＃６にそれぞれ割り当てる。
【００６０】
次いで、上り回線データに誤りが有り、上り回線データの２回目送信（１回目再送）が必要である場合、基地局では、２回目送信（１回目再送）時の上り回線データに対する応答信号を、１回目送信（初回送信）時に割り当てたＡＣＫ／ＮＡＣＫチャネルのチャネル番号がより小さいほどチャネル番号がより大きいＡＣＫ／ＮＡＣＫチャネルに割り当てる。例えば、１回目送信（初回送信）時の上り回線データに対する応答信号が、ＡＣＫ／ＮＡＣＫチャネルＣＨ＃１（ｋ＝１）に割り当てられた移動局に対しては、２回目送信（１回目再送）時の上り回線データに対する応答信号を、図５下段に示すように、ＡＣＫ／ＮＡＣＫチャネルＣＨ＃１２（＝１２−（１−１））に割り当てる。同様に、１回目送信（初回送信）時の上り回線データに対する応答信号が、ＡＣＫ／ＮＡＣＫチャネルＣＨ＃３（ｋ＝３）に割り当てられた移動局に対しては、２回目送信（１回目再送）時の上り回線データに対する応答信号を、図５下段に示すように、ＡＣＫ／ＮＡＣＫチャネルＣＨ＃１０（＝１２−（３−１））に割り当てる。１回目送信（初回送信）時の上り回線データに対する応答信号が、図５に示すＡＣＫ／ＮＡＣＫチャネルＣＨ＃４，＃６に割り当てられた移動局についても同様である。このように、基地局では、２回目送信（１回目再送）時の上り回線データに対する応答信号を、１回目送信（初回送信）時の上り回線データに対する応答信号が割り当てられたＡＣＫ／ＮＡＣＫチャネル（図４に示すＡＣＫ／ＮＡＣＫチャネルＣＨ＃１，ＣＨ＃３，ＣＨ＃４，ＣＨ＃６）と鏡像関係にあるＡＣＫ／ＮＡＣＫチャネル（図４に示すＡＣＫ／ＮＡＣＫチャネルＣＨ＃１２，ＣＨ＃１０，ＣＨ＃９，ＣＨ＃７）に割り当てられる。
【００６１】
また、基地局では、実施の形態２と同様、２回目送信（１回目再送）の上り回線データに対する応答信号が割り当てられるＡＣＫ／ＮＡＣＫチャネルとの衝突回避を考慮して、新たな移動局に対するＰＤＣＣＨを割り当てる。
【００６２】
例えば、図５に示すように、１回目送信（初回送信）時にＡＣＫ／ＮＡＣＫチャネルＣＨ＃１に応答信号が割り当てられた移動局で２回目送信（１回目再送）が必要である場合
には、基地局は、２回目送信（１回目再送）時に使用されるＡＣＫ／ＮＡＣＫチャネルＣＨ＃１２以外のＡＣＫ／ＮＡＣＫチャネルに、新たな上り回線データに対する応答信号が割り当てられるように上り回線割当用のＰＤＣＣＨを構成する。
【００６３】
ここで、図５に示すＣＣＥ＃１〜＃１２において、ＣＣＥ番号が最も小さいＣＣＥ＃１は上り回線割当用のＰＤＣＣＨとしての使用頻度が最も高く、ＣＣＥ番号が最も大きいＣＣＥ＃１２は下り回線割当用のＰＤＣＣＨとしての使用頻度が最も高い。換言すると、ＣＣＥ番号が最も大きいＣＣＥ＃１２は上り回線割当用のＰＤＣＣＨとしての使用頻度が最も低い。従って、チャネル番号が最大であるＡＣＫ／ＮＡＣＫチャネルＣＨ＃１２（ｋ＝１２）に１回目送信（初回送信）の上り回線データに対する応答信号が割り当てられる確率は小さい。換言すると、２回目送信（１回目再送）時に応答信号がＡＣＫ／ＮＡＣＫチャネルＣＨ＃１（＝１２−（１２−１））に割り当てられる確率は小さい。つまり、チャネル番号が最小であるＡＣＫ／ＮＡＣＫチャネルＣＨ＃１には、高い確率で１回目送信（初回送信）の上り回線データに対する応答信号を割り当てることができる。すなわち、基地局では、新たに制御情報を割り当てる移動局の上り回線割当用のＰＤＣＣＨとして、ＡＣＫ／ＮＡＣＫチャネルＣＨ＃１に対応するＣＣＥ＃１を高い確率で使用することができる。
【００６４】
このように、２回目送信（１回目再送）の上り回線データに対する応答信号は、上り回線割当用のＰＤＣＣＨが割り当てられる頻度がより低いＣＣＥ（下り回線割当用のＰＤＣＣＨに割り当てられる頻度がより高いＣＣＥ）に関連付けられたＡＣＫ／ＮＡＣＫチャネルに割り当てられやすくなる。ここで、ＣＣＥが下り回線割当用のＰＤＣＣＨとして使用される場合には、そのＣＣＥに関連付けられたＡＣＫ／ＮＡＣＫチャネルは使用されない。
【００６５】
よって、上り回線データの２回目送信（１回目再送）が必要である場合でも、基地局では、上り回線割当用のＰＤＣＣＨに使用される頻度が高いＣＣＥ、つまり、再送時の応答信号が割り当てられる確率が低いＡＣＫ／ＮＡＣＫチャネルに対応するＣＣＥ（例えば、図５に示すＣＣＥ＃１〜＃６）を使用して、新たな移動局に対するＰＤＣＣＨを割り当てることができる。また、上り回線割当用のＰＤＣＣＨとしての使用頻度がより低いＣＣＥ（例えば、ＣＣＥ＃７〜＃１２）に関連付けられたＡＣＫ／ＮＡＣＫチャネルに、再送時の応答信号が割り当てられる確率がより高くなる。このため、基地局は、ＡＣＫ／ＮＡＣＫチャネルが配置される下り回線リソース１〜１２を有効利用することができる。
【００６６】
このようにして、本実施の形態によれば、２回目送信（１回目再送）時の上り回線データに対する応答信号を、１回目送信（初回送信）時に割り当てたＡＣＫ／ＮＡＣＫチャネルのチャネル番号と鏡像関係にあるＡＣＫ／ＮＡＣＫチャネルに割り当てる。これにより、チャネル番号が最も小さいＡＣＫ／ＮＡＣＫチャネル（図５に示すＡＣＫ／ＮＡＣＫチャネルＣＨ＃１）は高い確率で１回目送信（初回送信）時に使用することができるため、そのＡＣＫ／ＮＡＣＫチャネルに対応するＣＣＥ番号が最も小さいＣＣＥが使用できなくなることを防ぐことができる。よって、本実施の形態によれば、実施の形態１と同様、データ伝送効率を向上することができる。
【００６７】
さらに、本実施の形態によれば、２回目送信（１回目再送）の応答信号を、上り回線割当用のＰＤＣＣＨに使用される頻度がより低いＣＣＥに関連付けられたＡＣＫ／ＮＡＣＫチャネルに割り当てる。このため、基地局では、新たな移動局に対するＰＤＣＣＨを割り当てる際に、２回目送信（１回目再送）の応答信号が割り当てられたＡＣＫ／ＮＡＣＫチャネルとの衝突回避のためのＣＣＥの使用制限がより小さくなる。よって、本実施の形態によれば、ＣＣＥの利用効率を向上することができる。また、２回目送信（１回目再送）の応答信号を、上り回線割当用のＰＤＣＣＨに使用される頻度がより低いＣＣＥに関連付
けられたＡＣＫ／ＮＡＣＫチャネルに割り当てるため、ＡＣＫ／ＮＡＣＫチャネルが配置される下り回線リソースの利用効率を向上することができる。
【００６８】
なお、本実施の形態では、２回目送信（１回目再送）までのＡＣＫ／ＮＡＣＫチャネルの割当方法について説明したが、３回目送信（２回目再送）以降についても本発明を適用してもよい。具体的には、各再送時の上り回線データに対する応答信号を、前回送信時に使用したＡＣＫ／ＮＡＣＫチャネルと鏡像関係（上述したチャネル番号＃ｋとチャネル番号＃（Ｎ−（ｋ−１））との関係）にあるＡＣＫ／ＮＡＣＫチャネルに割り当てる。例えば、ＡＣＫ／ＮＡＣＫチャネル割当部１０５は、上述したように、１回目送信（初回送信）時の上り回線データに対する応答信号をＡＣＫ／ＮＡＣＫチャネルＣＨ＃１に割り当て、２回目送信（１回目再送）時の上り回線データに対する応答信号をＡＣＫ／ＮＡＣＫチャネルＣＨ＃１２（ＡＣＫ／ＮＡＣＫチャネルＣＨ＃１と鏡像関係）に割り当てる。そして、ＡＣＫ／ＮＡＣＫチャネル割当部１０５は、３回目送信（２回目再送）時の上り回線データに対する応答信号をＡＣＫ／ＮＡＣＫチャネルＣＨ＃１（ＡＣＫ／ＮＡＣＫチャネルＣＨ＃１２と鏡像関係）に割り当てる。これにより、３回目以降の送信（２回目以降の再送）が必要な場合でも、２回目送信（１回目再送）時の上り回線データに対する応答信号が割り当てられたＡＣＫ／ＮＡＣＫチャネルと３回目送信以降（２回目再送以降）の上り回線データに対する応答信号が割り当てられたＡＣＫ／ＮＡＣＫチャネルとの衝突を回避できる。よって、３回目送信以降（２回目再送以降）の上り回線データに対する応答信号を割り当てるＡＣＫ／ＮＡＣＫチャネルを別途確保する必要がなくなる。なお、３回目送信以降（２回目再送以降）の応答信号が割り当てられたＡＣＫ／ＮＡＣＫチャネルとの衝突回避のために、新たな移動局に対するＣＣＥの使用制限が生じる。しかし、３回目送信以降（２回目再送以降）が必要になる確率は小さく、システム全体に与える影響は少ない。
【００６９】
また、本実施の形態において、複数の上り回線割当用のＰＤＣＣＨによって使用されるＣＣＥ数が７個以上の場合、ＣＣＥ番号が７以上のＣＣＥで通知された移動局の１回目送信（初回送信）時の上り回線データに対する応答信号は、チャネル番号が７以上のＡＣＫ／ＮＡＣＫチャネルに割り当てられる。ここで、２回目送信（１回目再送）が必要である場合、１回目送信（初回送信）時のＡＣＫ／ＮＡＣＫチャネルと鏡像関係（図４）にあるＡＣＫ／ＮＡＣＫチャネルのチャネル番号は６以下となる。このため、２回目送信（１回目再送）時のＡＣＫ／ＮＡＣＫチャネルと新たな移動局が使用するＡＣＫ／ＮＡＣＫチャネルとの衝突を回避するために、新たな移動局に対するＣＣＥの使用制限が生じる。しかし、複数の上り回線割当用のＰＤＣＣＨによって使用されるＣＣＥ数が７個以上必要となる場合、つまり、ＣＣＥ総数の半数以上が必要となる場合は稀であり、システム全体に与える影響は少ない。
【００７０】
また、２回目以降の送信（再送）が必要である場合、その上り回線データに対する応答信号を、１回目送信（初回送信）時に割り当てたＡＣＫ／ＮＡＣＫチャネルからＣＣＥ総数の半数だけ巡回シフトしたＡＣＫ／ＮＡＣＫチャネルに割り当ててもよい。具体的には、ＣＣＥ総数をＮとし、１回目送信（初回送信）時に割り当てたＡＣＫ／ＮＡＣＫチャネルのチャネル番号を＃ｋとする場合、ＡＣＫ／ＮＡＣＫチャネル割当部１０５は、２回目送信（１回目再送）時の上り回線データに対する応答信号を、チャネル番号ＣＨ＃（（（ｋ−１）＋Ｎ／２）ｍｏｄ  Ｎ）＋１のＡＣＫ／ＮＡＣＫチャネルに割り当てる。例えば、１回目送信（初回送信）時の上り回線データに対する応答信号が、ＡＣＫ／ＮＡＣＫチャネルＣＨ＃１（ｋ＝１）に割り当てられた移動局に対しては、２回目送信（１回目再送）時の上り回線データに対する応答信号を、図６下段に示すように、ＡＣＫ／ＮＡＣＫチャネルＣＨ＃７（＝（（（１−１）＋６）ｍｏｄ  １２）＋１）に割り当てる。同様に、１回目送信（初回送信）時の上り回線データに対する応答信号が、ＡＣＫ／ＮＡＣＫチャネルＣＨ＃３（ｋ＝３）に割り当てられた移動局に対しては、２回目送信（１回目再送）
時の上り回線データに対する応答信号を、図６下段に示すように、ＡＣＫ／ＮＡＣＫチャネルＣＨ＃９（＝（（（３−１）＋６）ｍｏｄ  １２）＋１）に割り当てる。１回目送信（初回送信）時の上り回線データに対する応答信号が、図６に示すＡＣＫ／ＮＡＣＫチャネルＣＨ＃４，＃６に割り当てられた移動局についても同様である。これにより、２回目送信以降（再送）の上り回線データに対する応答信号を送信し続ける場合でも、本実施の形態と同様、２回目送信（１回目再送）の応答信号を、ＣＣＥ番号がより大きいＣＣＥ、つまり、上り回線割当用のＰＤＣＣＨに使用される頻度がより低いＣＣＥに関連付けられたＡＣＫ／ＮＡＣＫチャネルに割り当てることができるため、本実施の形態と同様の効果を得ることができる。
【００７１】
（実施の形態４）
本実施の形態では、１回目送信（初回送信）時の上り回線データに対する応答信号が割り当てられるＡＣＫ／ＮＡＣＫチャネルを、所定の単位時間で切り替える。
【００７２】
ここでは、所定の時間単位をＨＡＲＱのＲＴＤ（Round Trip Delay）時間、つまり、１回目送信（初回送信）してから２回目送信（１回目再送）するまでの時間間隔として説明する。図７に示すように、ＨＡＲＱプロセスが８であれば、ＲＴＤ時間内には８つのＨＡＲＱプロセス（ＨＡＲＱプロセス＃１〜＃８）が存在する。すなわち、ＲＴＤ時間は８サブフレームとなる。また、ＲＴＤ時間で区切った時間単位をＨＡＲＱフレームと呼ぶ。
【００７３】
本実施の形態に係るＡＣＫ／ＮＡＣＫチャネル割当部１０５（図１）は、送信判別部１０４からの判別結果が初回送信である場合には、変調部１０３から入力される応答信号を、ＨＡＲＱフレーム番号とＰＤＣＣＨ割当部１０１から入力されるＣＣＥ割当情報とに基づくＡＣＫ／ＮＡＣＫチャネルに割り当てる。具体的には、ＡＣＫ／ＮＡＣＫチャネル割当部１０５は、ＨＡＲＱフレーム番号が奇数であるＨＡＲＱフレームでは、ＰＤＣＣＨを構成する複数のＣＣＥのうちＣＣＥ番号が最も小さいＣＣＥのＣＣＥ番号（ＣＣＥ番号＃ｋ）と同一のチャネル番号（チャネル番号ＣＨ＃ｋ）のＡＣＫ／ＮＡＣＫチャネルに応答信号を割り当てる。また、ＡＣＫ／ＮＡＣＫチャネル割当部１０５は、ＨＡＲＱフレーム番号が偶数であるＨＡＲＱフレームでは、ＰＤＣＣＨを構成する複数のＣＣＥのうちＣＣＥ番号が最も小さいＣＣＥのＣＣＥ番号（ＣＣＥ番号＃ｋ）と鏡像関係にあるチャネル番号（チャネル番号ＣＨ＃（Ｎ−（ｋ−１）））のＡＣＫ／ＮＡＣＫチャネルに応答信号を割り当てる。
【００７４】
一方、ＡＣＫ／ＮＡＣＫチャネル割当部１０５は、送信判別部１０４からの判別結果が再送である場合には、応答信号を、１回目送信（初回送信）時に割り当てたＡＣＫ／ＮＡＣＫチャネルと同一のＡＣＫ／ＮＡＣＫチャネルに割り当てる。
【００７５】
以下の説明では、図８上段に示すように、実施の形態１と同様、１２個のＣＣＥ＃１〜＃１２を用いる。また、実施の形態３と同様、上り回線割当用のＰＤＣＣＨはＣＣＥ＃１からＣＣＥ６に昇順で使用され、下り回線割当用のＰＤＣＣＨはＣＣＥ＃１２からＣＣＥ＃７に降順で使用される。また、図８上段に示すように、ＣＣＥ＃１〜＃６により上り回線割当用ＰＤＣＣＨ＃１、＃３、＃４および＃６が構成される。
【００７６】
また、基地局では、図８下段に示すように、実施の形態１と同様、１２個のＣＣＥ＃１〜＃１２にそれぞれ対応する最大１２個のＡＣＫ／ＮＡＣＫチャネルＣＨ＃１〜＃１２を配置する下り回線リソース１〜１２を予め確保する。
【００７７】
まず、ＨＡＲＱフレーム番号が奇数のＨＡＲＱフレームにおけるＡＣＫ／ＮＡＣＫチャネルの割当について説明する。ＡＣＫ／ＮＡＣＫチャネル割当部１０５は、図８に示すように、１回目送信（初回送信）時の上り回線データに対する応答信号を、各ＰＤＣＣＨを
構成する複数のＣＣＥのうちＣＣＥ番号が最も小さいＣＣＥのＣＣＥ番号と同一のチャネル番号のＡＣＫ／ＮＡＣＫチャネル（図８に示す実線の矢印）に割り当てる。具体的には、図８に示すように、ＡＣＫ／ＮＡＣＫチャネル割当部１０５は、ＨＡＲＱフレーム番号が奇数のＨＡＲＱフレームにおける１回目送信（初回送信）時には、ＰＤＣＣＨ＃１，＃３，＃４，＃６で割り当てられた上り回線データに対する応答信号を、ＡＣＫ／ＮＡＣＫチャネルＣＨ＃１，ＣＨ＃３，ＣＨ＃４，ＣＨ＃６にそれぞれ割り当てる。
【００７８】
次いで、ＨＡＲＱフレーム番号が偶数のＨＡＲＱフレームにおけるＡＣＫ／ＮＡＣＫチャネルの割当について説明する。ＡＣＫ／ＮＡＣＫチャネル割当部１０５は、図８に示すように、１回目送信（初回送信）時の上り回線データに対応する応答信号を、各ＰＤＣＣＨを構成する複数のＣＣＥのうちＣＣＥ番号が最も小さいＣＣＥのＣＣＥ番号と鏡像関係にあるチャネル番号のＡＣＫ／ＮＡＣＫチャネル（図８に示す鎖線の矢印）に割り当てる。具体的には、図８に示すように、ＡＣＫ／ＮＡＣＫチャネル割当部１０５は、ＨＡＲＱフレーム番号が偶数のＨＡＲＱフレームにおける１回目送信（初回送信）時には、ＰＤＣＣＨ＃１，＃３，＃４，＃６で割り当てられた上り回線データに対する応答信号を、ＡＣＫ／ＮＡＣＫチャネルＣＨ＃１２，ＣＨ＃１０，ＣＨ＃９，ＣＨ＃７にそれぞれ割り当てる。
【００７９】
また、上り回線データの２回目送信（１回目再送）が必要である場合、ＡＣＫ／ＮＡＣＫチャネル割当部１０５は、２回目送信（１回目再送）時の上り回線データに対する応答信号を、１回目送信（初回送信）時に割り当てたＡＣＫ／ＮＡＣＫチャネルと同一のＡＣＫ／ＮＡＣＫチャネルに割り当てる。例えば、図８に示すように、ＡＣＫ／ＮＡＣＫチャネル割当部１０５は、ＨＡＲＱフレーム番号が偶数のＨＡＲＱフレームにおける２回目送信（１回目再送）時の上り回線データに対する応答信号を、ＨＡＲＱフレーム番号が奇数のＨＡＲＱフレームにおける１回目送信（初回送信）時に割り当てたＡＣＫ／ＮＡＣＫチャネルと同一のＡＣＫ／ＮＡＣＫチャネルＣＨ＃１，ＣＨ＃３，ＣＨ＃４，ＣＨ＃６に割り当てる。
【００８０】
このように、図８の実線の矢印および鎖線の矢印で示すように、ＨＡＲＱフレーム毎にＣＣＥとＡＣＫ／ＮＡＣＫチャネルとの関連付けを切り替える。例えば、ＨＡＲＱフレーム番号が偶数のＨＡＲＱフレームでは、２回目送信（１回目再送）の応答信号が、上り回線割当用のＰＤＣＣＨに使用される頻度がより高いＣＣＥ（図８に示すＣＣＥ＃１〜＃６）のＣＣＥ番号と同一のチャネル番号のＡＣＫ／ＮＡＣＫチャネルＣＨ＃１〜＃６のいずれかに割り当てられる。これに対し、ＨＡＲＱフレーム番号が偶数のＨＡＲＱフレームでは、１回目送信（初回送信）の応答信号が、上り回線割当用のＰＤＣＣＨに使用される頻度がより高いＣＣＥ（図８に示すＣＣＥ＃７〜＃１２）のＣＣＥ番号と鏡像関係にあるチャネル番号のＡＣＫ／ＮＡＣＫチャネルＣＨ＃１２〜＃７のいずれかに割り当てられる。
【００８１】
また、上り回線割当用のＰＤＣＣＨには、ＣＣＥ番号がより小さいＣＣＥから昇順に割り当てられるため、ＨＡＲＱフレーム番号が偶数のＨＡＲＱフレームでは、２回目送信（つまり、ＨＡＲＱフレーム番号が奇数のＨＡＲＱフレームで初回送信された移動局の再送）の応答信号が、チャネル番号がより小さいＡＣＫ／ＮＡＣＫチャネルに割り当てられる確率がより高くなる。一方、ＨＡＲＱフレーム番号が偶数のＨＡＲＱフレームでは、上り回線割当用のＰＤＣＣＨに使用されるＣＣＥのＣＣＥ番号と鏡像関係にあるチャネル番号のＡＣＫ／ＮＡＣＫチャネルを用いるため、１回目送信（初回送信）の応答信号が、チャネル番号がより大きいＡＣＫ／ＮＡＣＫチャネルに割り当てられる確率がより高くなる。つまり、２回目送信（１回目再送）の応答信号が割り当てられるＡＣＫ／ＮＡＣＫチャネルと１回目送信（初回送信）の応答信号が割り当てられるＡＣＫ／ＮＡＣＫチャネルとが同一になる確率がより小さくなる。よって、ＨＡＲＱフレーム番号が偶数のＨＡＲＱフレームでは、基地局は、２回目送信（１回目再送）の応答信号が割り当てられるＡＣＫ／Ｎ
ＡＣＫチャネルとの衝突回避を考慮して、新たな移動局に対するＰＤＣＣＨを構成するＣＣＥを割り当てるものの、ＣＣＥの使用制限はほとんどない。また、ＨＡＲＱフレーム番号が奇数のＨＡＲＱフレームにおいても同様である。
【００８２】
このようにして、本実施の形態によれば、ＨＡＲＱフレーム番号が奇数のＨＡＲＱフレームの場合には、上り回線割当用のＰＤＣＣＨに割り当てられたＣＣＥのＣＣＥ番号と同一のチャネル番号のＡＣＫ／ＮＡＣＫチャネルに応答信号を割り当てる。また、ＨＡＲＱフレーム番号が偶数のＨＡＲＱフレームの場合には、上り回線割当用のＰＤＣＣＨに割り当てられたＣＣＥのＣＣＥ番号と鏡像関係にあるチャネル番号のＡＣＫ／ＮＡＣＫチャネルに応答信号を割り当てる。これより、チャネル番号が最も小さいＡＣＫ／ＮＡＣＫチャネル（図８に示すＡＣＫ／ＮＡＣＫチャネルＣＨ＃１）が２回目送信（初回送信）に使用される場合でも、そのＡＣＫ／ＮＡＣＫチャネルに対応するＣＣＥ番号が最も小さいＣＣＥは、次のＨＡＲＱフレームにおいて、異なるＡＣＫ／ＮＡＣＫチャネルに関連付けられる。よって、ＣＣＥ番号が最も小さいＣＣＥが使用できなくなることを防ぐことができる。よって、本実施の形態によれば、ＣＣＥ番号が最も小さいＣＣＥが使用できなくなることを防ぐことができ、実施の形態１と同様、データ伝送効率を向上することができる。
【００８３】
さらに、本実施の形態によれば、例えば、ＨＡＲＱフレーム番号が奇数のＨＡＲＱフレームでは、上り回線割当用のＰＤＣＣＨとして使用される頻度がより高いＣＣＥ（ＣＣＥ番号がより小さいＣＣＥ）に関連付けられたＡＣＫ／ＮＡＣＫチャネルが使用される。そして、そのＡＣＫ／ＮＡＣＫチャネルを使用した移動局の２回目送信（１回目再送）が行われるＨＡＲＱフレーム番号が偶数のＨＡＲＱフレームでは、新たな移動局の１回目送信（初回送信）時の応答信号に対して、チャネル番号がより大きいＡＣＫ／ＮＡＣＫチャネルが使用される。このため、ＨＡＲＱフレーム番号が偶数のＨＡＲＱフレームでは、基地局が新たな移動局への上り回線割当用のＰＤＣＣＨを割り当てる際に、２回目送信（１回目再送）のＡＣＫ／ＮＡＣＫチャネルとの衝突を回避するためのＣＣＥの使用制限がより小さくなる。よって、本実施の形態によれば、基地局でのＣＣＥ使用効率が向上する。なお、ＨＡＲＱフレーム番号が奇数のＨＡＲＱフレームでも同様である。
【００８４】
なお、３回目送信（２回目再送）が必要である場合、３回目送信（２回目再送）の応答信号が割り当てられたＡＣＫ／ＮＡＣＫチャネルと新たな移動局の１回目送信（初回送信）の応答信号が割り当てられるＡＣＫ／ＮＡＣＫチャネルとの衝突回避のために、新たな移動局に対するＣＣＥの使用制限が生じる。しかし、３回目送信以降（２回目再送以降）が必要になる確率は小さく、システム全体に与える影響は少ない。
【００８５】
また、本実施の形態のＨＡＲＱフレーム番号が偶数のＨＡＲＱフレームにおけるＣＣＥとＡＣＫ／ＮＡＣＫチャネルとの関連付けは、上り回線割当用のＰＤＣＣＨに使用されるＣＣＥのＣＣＥ番号からＣＣＥ総数の半数だけ巡回シフトしたチャネル番号のＡＣＫ／ＮＡＣＫチャネルに割り当ててもよい。具体的には、ＣＣＥ総数をＮとし、上り回線割当用のＰＤＣＣＨに使用されるＣＣＥ番号を＃ｋとする場合、ＡＣＫ／ＮＡＣＫチャネル割当部１０５は、応答信号を、チャネル番号ＣＨ＃（（（ｋ−１）＋Ｎ／２）ｍｏｄ  Ｎ）＋１のＡＣＫ／ＮＡＣＫチャネルに割り当てる。これにより、本実施の形態と同様、ＨＡＲＱフレーム番号が偶数のＨＡＲＱフレームでは、２回目送信（１回目再送）のＡＣＫ／ＮＡＣＫチャネルとして、上り回線割当用のＰＤＣＣＨに使用される頻度がより低いＣＣＥ（下り回線割当用のＰＤＣＣＨに使用される頻度がより高いＣＣＥ）に関連付けられたＡＣＫ／ＮＡＣＫチャネルが使用される。よって、本実施の形態と同様の効果を得ることができる。
【００８６】
また、本実施の形態において、複数の上り回線割当用のＰＤＣＣＨによって使用されるＣＣＥ数が７個以上の場合には、ＣＣＥ番号が７以上のＣＣＥで通知された移動局の２回
目送信（１回目再送）時の上り回線データに対する応答信号が割り当てられたＡＣＫ／ＮＡＣＫチャネルのチャネル番号は６以下となる。このため、新たな移動局への１回目送信（初回送信）時の上り回線データに対する応答信号が割り当てられるＡＣＫ／ＮＡＣＫチャネルと衝突する可能性がある。よって、そのＡＣＫ／ＮＡＣＫチャネルでの衝突を回避するために、新たな移動局に対するＣＣＥの使用制限が生じる。しかし、複数の上り回線割当用のＰＤＣＣＨによって使用されるＣＣＥ数が７個以上必要となる場合、つまり、ＣＣＥ総数の半数以上が必要となる場合は稀であり、システム全体に与える影響は少ない。
【００８７】
また、本実施の形態では、ＨＡＲＱプロセス数が偶数（つまり、ＲＴＤ時間が偶数サブフレーム）である場合について説明したが、ＨＡＲＱプロセス数が奇数（つまり、ＲＴＤ時間が奇数サブフレーム）である場合にも本発明を適用することができる。ＨＡＲＱプロセス数が奇数である場合には、サブフレーム単位で１回目送信（初回送信）時の上り回線データに対する応答信号に用いるＡＣＫ／ＮＡＣＫチャネルを切り替えるようにしてもよい。この場合、２回目送信以降（再送）の応答信号が割り当てられるＡＣＫ／ＮＡＣＫチャネルと新たな移動局の１回目送信（初回送信）時の上り回線データに対する応答信号が割り当てられるＡＣＫ／ＮＡＣＫチャネルとは、ＣＣＥとの関連付けが互いに異なるため、本実施の形態と同様の効果を得ることができる。
【００８８】
（実施の形態５）
本実施の形態では、上り回線割当用のＰＤＣＣＨおよび下り回線割当用のＰＤＣＣＨが配置されるＣＣＥを所定の単位時間で切り替える。
【００８９】
ここでは、実施の形態４と同様、所定の時間単位を図７に示すＨＡＲＱのＲＴＤ時間として説明する。
【００９０】
本実施の形態に係るＰＤＣＣＨ割当部１０１（図１）は、ＨＡＲＱフレーム番号が奇数であるＨＡＲＱフレームでは、上り回線割当用のＰＤＣＣＨをＣＣＥ番号がより小さいＣＣＥから昇順に割り当て、下り回線割当用のＰＤＣＣＨをＣＣＥ番号がより大きいＣＣＥから降順に割り当てる。一方、ＨＡＲＱフレーム番号が偶数であるＨＡＲＱフレームでは、上り回線割当用のＰＤＣＣＨをＣＣＥ番号がより大きいＣＣＥから降順に割り当て、下り回線割当用のＰＤＣＣＨをＣＣＥ番号がより小さいＣＣＥから昇順に割り当てる。
【００９１】
本実施の形態に係るＡＣＫ／ＮＡＣＫチャネル割当部１０５（図１）は、送信判別部１０４からの判別結果が初回送信である場合には、変調部１０３から入力される応答信号を、ＰＤＣＣＨ割当部１０１から入力されるＣＣＥ割当情報に基づくＡＣＫ／ＮＡＣＫチャネルに割り当てる。具体的には、ＡＣＫ／ＮＡＣＫチャネル割当部１０５は、ＰＤＣＣＨを構成する複数のＣＣＥのうちＣＣＥ番号が最も小さいＣＣＥのＣＣＥ番号に関連付けられたＡＣＫ／ＮＡＣＫチャネルに応答信号を割り当てる。また、ＡＣＫ／ＮＡＣＫチャネル割当部１０５は、送信判別部１０４からの判別結果が再送である場合には、応答信号を、１回目送信（初回送信）時に割り当てたＡＣＫ／ＮＡＣＫチャネルと同一のＡＣＫ／ＮＡＣＫチャネルに割り当てる。
【００９２】
以下の説明では、図９上段および図１０上段に示すように、実施の形態１と同様、１２個のＣＣＥ＃１〜＃１２を用いる。また、基地局では、図９下段および図１０下段に示すように、実施の形態１と同様、１２個のＣＣＥ＃１〜＃１２にそれぞれ対応する最大１２個のＡＣＫ／ＮＡＣＫチャネルＣＨ＃１〜＃１２を配置する下り回線リソース１〜１２を予め確保する。また、図９上段および図１０上段に示すように、上り回線割当用ＰＤＣＣＨとして、６個のＣＣＥにより、２個のＣＣＥから成るＰＤＣＣＨが２個構成され、１個のＣＣＥから成るＰＤＣＣＨが２個構成される。
【００９３】
まず、ＨＡＲＱフレーム番号が奇数のＨＡＲＱフレームにおけるＡＣＫ／ＮＡＣＫチャネルの割当について説明する。ＨＡＲＱフレーム番号が奇数のＨＡＲＱフレームでは、図９に示すように、上り回線割当用のＰＤＣＣＨは、ＣＣＥ＃１からＣＣＥ＃６に昇順で使用される。そこで、図９上段に示すように、ＣＣＥ＃１〜＃６の６個のＣＣＥにより上り回線割当用ＰＤＣＣＨ＃１、＃３、＃４および＃６が構成される。よって、ＡＣＫ／ＮＡＣＫチャネル割当部１０５は、図９に示すように、１回目送信（初回送信）時の上り回線データに対する応答信号を、各ＰＤＣＣＨを構成する複数のＣＣＥのうちＣＣＥ番号が最も小さいＣＣＥに関連付けられたＡＣＫ／ＮＡＣＫチャネルに割り当てる。具体的には、図９に示すように、ＡＣＫ／ＮＡＣＫチャネル割当部１０５は、ＰＤＣＣＨ＃１，＃３，＃４，＃６で割り当てられた上り回線データに対する応答信号を、ＡＣＫ／ＮＡＣＫチャネルＣＨ＃１，ＣＨ＃３，ＣＨ＃４，ＣＨ＃６にそれぞれ割り当てる。
【００９４】
次いで、ＨＡＲＱフレーム番号が偶数のＨＡＲＱフレームにおけるＡＣＫ／ＮＡＣＫチャネルの割当について説明する。ＨＡＲＱフレーム番号が偶数のＨＡＲＱフレームでは、図１０に示すように、上り回線割当用のＰＤＣＣＨは、ＣＣＥ＃１２からＣＣＥ＃７に降順で使用される。そこで、図１０上段に示すように、ＣＣＥ＃１２〜＃７の６個のＣＣＥにより上り回線割当用ＰＤＣＣＨ＃１１、＃１０、＃８および＃７が構成される。よって、ＡＣＫ／ＮＡＣＫチャネル割当部１０５は、図１０に示すように、１回目送信（初回送信）時の上り回線データに対する応答信号を、各ＰＤＣＣＨを構成する複数のＣＣＥのうちＣＣＥ番号が最も小さいＣＣＥに関連付けられたＡＣＫ／ＮＡＣＫチャネルに割り当てる。具体的には、図１０に示すように、ＡＣＫ／ＮＡＣＫチャネル割当部１０５は、ＰＤＣＣＨ＃１１，＃１０，＃８，＃７で割り当てられた上り回線データに対する応答信号を、ＡＣＫ／ＮＡＣＫチャネルＣＨ＃１１，ＣＨ＃１０，ＣＨ＃８，ＣＨ＃７にそれぞれ割り当てる。
【００９５】
また、上り回線データの２回目送信（１回目再送）が必要である場合、ＡＣＫ／ＮＡＣＫチャネル割当部１０５は、２回目送信（１回目再送）時の上り回線データに対する応答信号を、１回目送信（初回送信）時に割り当てたＡＣＫ／ＮＡＣＫチャネルと同一のＡＣＫ／ＮＡＣＫチャネルに割り当てる。例えば、図９に示すように、ＡＣＫ／ＮＡＣＫチャネル割当部１０５は、ＨＡＲＱフレーム番号が偶数のＨＡＲＱフレームにおける２回目送信（１回目再送）時の上り回線データに対する応答信号を、ＨＡＲＱフレーム番号が奇数のＨＡＲＱフレームにおける１回目送信（初回送信）時に割り当てたＡＣＫ／ＮＡＣＫチャネルと同一のＡＣＫ／ＮＡＣＫチャネルＣＨ＃１，ＣＨ＃３，ＣＨ＃４，ＣＨ＃６に割り当てる。
【００９６】
また、基地局では、実施の形態１と同様、２回目送信（１回目再送）の上り回線データに対する応答信号が割り当てられるＡＣＫ／ＮＡＣＫチャネルとの衝突回避を考慮して、新たな移動局に対するＰＤＣＣＨを割り当てる。
【００９７】
図９および図１０に示すように、上り回線割当用のＰＤＣＣＨおよび下り回線割当用のＰＤＣＣＨが配置されるＣＣＥをＨＡＲＱフレーム毎に切り替える。例えば、ＨＡＲＱフレーム番号が偶数のＨＡＲＱフレームでは、２回目送信（１回目再送）の応答信号が、図９に従って上り回線割当用のＰＤＣＣＨに割り当てられたＣＣＥ、つまり、チャネル番号がより小さいＣＣＥ（図９に示すＣＣＥ＃１〜＃６）に関連付けられたＡＣＫ／ＮＡＣＫチャネルＣＨ＃１〜＃６のいずれかに割り当てられる。これに対し、ＨＡＲＱフレーム番号が偶数のＨＡＲＱフレームでは、１回目送信（初回送信）の応答信号が、図１０に従って上り回線割当用のＰＤＣＣＨに割り当てられたＣＣＥ、つまり、チャネル番号がより大きいＣＣＥ（図１０に示すＣＣＥ＃１２〜＃７）に関連付けられたＡＣＫ／ＮＡＣＫチャネルＣＨ＃１２〜＃７のいずれかに割り当てられる。
【００９８】
また、ＨＡＲＱフレーム番号が奇数のＨＡＲＱフレームでは、上り回線割当用のＰＤＣＣＨには、ＣＣＥ番号がより小さいＣＣＥから昇順に割り当てられる。このため、ＨＡＲＱフレーム番号が偶数のＨＡＲＱフレームでは、２回目送信（１回目再送）の応答信号が、チャネル番号がより小さいＡＣＫ／ＮＡＣＫチャネルに割り当てられる確率がより高くなる。一方、ＨＡＲＱフレーム番号が偶数のＨＡＲＱフレームでは、上り回線割当用のＰＤＣＣＨには、ＣＣＥ番号がより大きいＣＣＥから降順に割り当てられる。このため、ＨＡＲＱフレーム番号が偶数のＨＡＲＱフレームでは、１回目送信（初回送信）の応答信号が、チャネル番号がより大きいＡＣＫ／ＮＡＣＫチャネルに割り当てられる確率がより高くなる。つまり、実施の形態４と同様、２回目送信（１回目再送）の応答信号が割り当てられるＡＣＫ／ＮＡＣＫチャネルと１回目送信（初回送信）の応答信号が割り当てられるＡＣＫ／ＮＡＣＫチャネルとが同一になる確率がより小さくなる。従って、ＨＡＲＱフレーム番号が偶数のＨＡＲＱフレームでは、基地局は、実施の形態４と同様、２回目送信（１回目再送）の応答信号が割り当てられるＡＣＫ／ＮＡＣＫチャネルとの衝突回避を考慮して、新たな移動局に対するＰＤＣＣＨを構成するＣＣＥを割り当てるものの、ＣＣＥの使用制限はほとんどない。また、ＨＡＲＱフレーム番号が奇数のＨＡＲＱフレームにおいても同様である。
【００９９】
このようにして、本実施の形態によれば、ＨＡＲＱフレーム番号が奇数のＨＡＲＱフレームの場合には、上り回線割当用のＰＤＣＣＨをＣＣＥ番号がより小さいＣＣＥから昇順に割り当て、ＨＡＲＱフレーム番号が偶数のＨＡＲＱフレームの場合には、上り回線割当用のＰＤＣＣＨをＣＣＥ番号がより大きいＣＣＥから降順に割り当てる。これより、チャネル番号が最も小さいＡＣＫ／ＮＡＣＫチャネル（図９に示すＡＣＫ／ＮＡＣＫチャネルＣＨ＃１）が２回目送信（初回送信）に使用される場合でも、そのＡＣＫ／ＮＡＣＫチャネルに対応するＣＣＥ番号が最も小さいＣＣＥは、次のＨＡＲＱフレームにおいて、下り回線割当用ＰＤＣＣＨに割り当てることができる。よって、ＣＣＥ番号が最も小さいＣＣＥが使用できなくなることを防ぐことができる。よって、本実施の形態によれば、ＣＣＥ番号が最も小さいＣＣＥが使用できなくなることを防ぐことができ、実施の形態１と同様、データ伝送効率を向上することができる。
【０１００】
さらに、本実施の形態によれば、例えば、ＨＡＲＱフレーム番号が奇数のＨＡＲＱフレームでは、上り回線割当用のＰＤＣＣＨとして使用される頻度がより高いＣＣＥ（ＣＣＥ番号がより小さいＣＣＥ）に関連付けられたチャネル番号がより小さいＡＣＫ／ＮＡＣＫチャネルがより高い頻度で使用される。そして、そのＡＣＫ／ＮＡＣＫチャネルを使用した移動局の２回目送信（１回目再送）が行われるＨＡＲＱフレーム番号が偶数のＨＡＲＱフレームでは、新たな移動局の１回目送信（初回送信）時の上り回線データに対する応答信号は、ＣＣＥ番号がより大きいＣＣＥに関連付けられたチャネル番号がより大きいＡＣＫ／ＮＡＣＫチャネルが使用される。このため、ＨＡＲＱフレーム番号が偶数のＨＡＲＱフレームでは、基地局が新たな移動局への上り回線割当用のＰＤＣＣＨを割り当てる際に、２回目送信（１回目再送）のＡＣＫ／ＮＡＣＫチャネルとの衝突を回避するためのＣＣＥの使用制限がより小さくなる。よって、本実施の形態によれば、基地局でのＣＣＥ使用効率が向上する。なお、ＨＡＲＱフレーム番号が奇数のＨＡＲＱフレームでも同様である。
【０１０１】
なお、３回目送信（２回目再送）が必要である場合、３回目送信（２回目再送）の応答信号が割り当てられたＡＣＫ／ＮＡＣＫチャネルと新たな移動局の１回目送信（初回送信）の応答信号が割り当てられるＡＣＫ／ＮＡＣＫチャネルとの衝突回避のために、新たな移動局に対するＣＣＥの使用制限が生じる。しかし、３回目送信以降（２回目再送以降）が必要になる確率は小さく、システム全体に与える影響は少ない。
【０１０２】
また、本実施の形態において、複数の上り回線割当用のＰＤＣＣＨによって使用される
ＣＣＥ数が７個以上の場合には、ＣＣＥ番号が７以上のＣＣＥで通知された移動局の２回目送信（１回目再送）時の上り回線データに対する応答信号が割り当てられたＡＣＫ／ＮＡＣＫチャネルのチャネル番号は６以下となる。このため、新たな移動局への１回目送信（初回送信）時の上り回線データに対する応答信号が割り当てられるＡＣＫ／ＮＡＣＫチャネルと衝突する可能性がある。よって、そのＡＣＫ／ＮＡＣＫチャネルでの衝突を回避するために、新たな移動局に対するＣＣＥの使用制限が生じる。しかし、複数の上り回線割当用のＰＤＣＣＨによって使用されるＣＣＥ数が７個以上必要となる場合、つまり、ＣＣＥ総数の半数以上が必要となる場合は稀であり、システム全体に与える影響は少ない。
【０１０３】
以上、本発明の各実施の形態について説明した。
【０１０４】
なお、上記実施の形態では上り回線データの応答信号を伝送する場合について説明したが、本発明を下り回線データの応答信号に適用することもできる。例えば、移動局が上記基地局１００と同様の処理を行うことにより、本発明を下り回線データの応答信号に適用することができる。ただし、下り回線リソースの割当は、基地局が行う。すなわち、移動局では、上記基地局１００におけるＰＤＣＣＨ割当部１０１と同様の処理を行わない。よって、移動局は下り回線データの割当要求用上り制御チャネルで使用されるＣＣＥに関連付けられたＡＣＫ／ＮＡＣＫチャネルを用いて応答信号を送信する。あるいは、移動局は下り回線データの割当通知用下り制御チャネルで使用されるＣＣＥに関連付けられたＡＣＫ／ＮＡＣＫチャネルを用いて応答信号を送信する。
【０１０５】
また、上記実施の形態の説明で用いたＰＤＣＣＨは、ＳＣＣＨ（Shared Control Channel）、L1/L2 Control Channel、UL grantチャネル、およびＣＣＣＨ（Common Control Channel）と称されることもある。また、ＡＣＫ／ＮＡＣＫチャネルは、ＰＨＩＣＨ（Physical Hybrid ARQ Indicator Channel）およびＨＩＣＨ（Hybrid ARQ Indicator Channel）と称されることもある。
【０１０６】
また、移動局はUE、基地局はNode Bと称されることもある。
【０１０７】
また、誤り検出の方法はＣＲＣ判定に限られない。
【０１０８】
また、上記実施の形態では、本発明をハードウェアで構成する場合を例にとって説明したが、本発明はソフトウェアで実現することも可能である。
【０１０９】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１０】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１１１】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１２】
２００７年８月１３日出願の特願２００７−２１１１０３および２００７年１１月１日出願の特願２００７−２８５６０１の日本出願に含まれる明細書、図面および要約書の開
示内容は、すべて本願に援用される。
【産業上の利用可能性】
【０１１３】
本発明は、移動体通信システム等に適用することができる。
【図面の簡単な説明】
【０１１４】
【図１】本発明の実施の形態１に係る基地局の構成を示すブロック図
【図２】本発明の実施の形態１に係るＣＣＥとＡＣＫ／ＮＡＣＫチャネルとの関連付けを示す図
【図３】本発明の実施の形態２に係るＣＣＥとＡＣＫ／ＮＡＣＫチャネルとの関連付けを示す図
【図４】本発明の実施の形態３に係るＣＣＥのＣＣＥ番号とＡＣＫ／ＮＡＣＫチャネルのチャネル番号との鏡像関係を示す図
【図５】本発明の実施の形態３に係るＣＣＥとＡＣＫ／ＮＡＣＫチャネルとの関連付けを示す図（鏡像関係の場合）
【図６】本発明の実施の形態３に係るＣＣＥとＡＣＫ／ＮＡＣＫチャネルとの関連付けを示す図（巡回シフトの場合）
【図７】本発明の本実施の形態４に係るＨＡＲＱフレームを示す図
【図８】本発明の実施の形態４に係るＣＣＥとＡＣＫ／ＮＡＣＫチャネルとの関連付けを示す図
【図９】本発明の実施の形態５に係るＣＣＥとＡＣＫ／ＮＡＣＫチャネルとの関連付けを示す図（ＨＡＲＱフレーム番号が奇数の場合）
【図１０】本発明の実施の形態５に係るＣＣＥとＡＣＫ／ＮＡＣＫチャネルとの関連付けを示す図（ＨＡＲＱフレーム番号が偶数の場合）
【手続補正３】
【補正対象書類名】図面
【補正対象項目名】全図
【補正方法】変更
【補正の内容】
【図１】
2009022465.tif 000013
【図２】
2009022465.tif 000014
【図３】
2009022465.tif 000015
【図４】
2009022465.tif 000016
【図５】
2009022465.tif 000017
【図６】
2009022465.tif 000018
【図７】
2009022465.tif 000019
【図８】
2009022465.tif 000020
【図９】
2009022465.tif 000021
【図１０】
2009022465.tif 000022
【国際調査報告】
2009022465.tif 000023
2009022465.tif 000024
2009022465.tif 000025